(57)【要約】      （修正有）【課題】大径ディスクと小径ディスクの両方に対応したディスク搬送機構を提供する。【解決手段】大径ディスク及び小径ディスクを装置本体の内外に搬送するローディングレバー５１及びイジェクトレバー５２と、大径ディスクが挿入された場合と小径ディスクが挿入された場合で、ローディングレバー５１の回動範囲を変えるローディングカム及びイジェクトレバー５２の回動範囲を変えるイジェクトカム１１５とを有するスライダー５４と、スライダー５４を駆動するスライダー駆動手段５６と、大径ディスクが挿入されたときと、小径ディスクが挿入されたときの、スライダー駆動手段５６の、各起動タイミングを検出する検出手段とを備える。【選択図】図３
2008159092.tif 000002
【特許請求の範囲】
【請求項１】
第１の記録媒体及び上記第１の記録媒体と大きさの異なる第２の記録媒体を装置本体の内外に亘って搬送する搬送機構において、
装置本体内に回動自在に支持され、上記第１の記録媒体及び第２の記録媒体を装置本体内に引き込む引き込み部材と、
上記装置本体内に回動自在に支持され、上記第１の記録媒体及び第２の記録媒体を装置本体外へ排出する排出部材と、
上記第１の記録媒体が挿入されたときと、上記第２の記録媒体が挿入されたときとで、上記引き込み部材の回動範囲を変える第１のカム溝と、上記第１の記録媒体が挿入されたときと、上記第２の記録媒体が挿入されたときとで、上記排出部材の回動範囲を変える第２のカム溝とを有し、上記装置本体内を移動することにより、上記引き込み部材及び排出部材を駆動する移動部材と、
上記移動部材を駆動する駆動手段と、
上記第１の記録媒体が挿入されたときと、上記第２の記録媒体が挿入されたときの、上記駆動手段の、各起動タイミングを検出する検出手段とを備える搬送機構。
【請求項２】
上記検出手段の起動タイミングは、上記第１の記録媒体が挿入されたときと、上記第２の記録媒体が挿入されたときとで、上記引き込み部材及び／又は排出部材の回動位置が異なることを特徴とする請求項１記載の搬送機構。
【請求項３】
上記検出手段は、上記引き込み部材及び／又は排出部材の回動領域上に配置されたレバースイッチであることを特徴とする請求項２記載の搬送機構。
【請求項４】
上記第１のカム溝は、複数箇所に分割されて形成されていることを特徴とする請求項１記載の搬送機構。
【請求項５】
第１の記録媒体及び上記第１の記録媒体と大きさの異なる第２の記録媒体が搬送される装置本体と、
上記装置本体内に搬送された第１の記録媒体及び第２の記録媒体を回転自在に保持すると共に、情報の記録及び／又は再生を行う記録再生ユニットと、
装置本体内に回動自在に支持され、上記第１の記録媒体及び第２の記録媒体を装置本体内に引き込む引き込み部材と、
上記装置本体内に回動自在に支持され、上記第１の記録媒体及び第２の記録媒体を装置本体外へ排出する排出部材と、
上記第１の記録媒体が挿入されたときと、上記第２の記録媒体が挿入されたときとで、上記引き込み部材の回動を規制する第１のカム溝と、上記第１の記録媒体が挿入されたときと、上記第２の記録媒体が挿入されたときとで、上記排出部材の回動を規制する第２のカム溝とを有し、上記装置本体内を移動することにより、上記引き込み部材及び排出部材を駆動する移動部材と、
上記移動部材を駆動する駆動手段と、
上記第１の記録媒体が挿入されたときと、上記第２の記録媒体が挿入されたときとで、上記駆動手段の、起動タイミングを検出する検出手段とを備える記録媒体駆動装置。
【請求項６】
記録媒体駆動装置が組み込まれた電子機器において、
上記記録媒体駆動装置は、
第１の記録媒体及び上記第１の記録媒体と大きさの異なる第２の記録媒体が搬送される装置本体と、
上記装置本体内に搬送された第１の記録媒体及び第２の記録媒体を回転自在に保持すると共に、情報の記録及び／又は再生を行う記録再生ユニットと、
装置本体内に回動自在に支持され、上記第１の記録媒体及び第２の記録媒体を装置本体内に引き込む引き込み部材と、
上記装置本体内に回動自在に支持され、上記第１の記録媒体及び第２の記録媒体を装置本体外へ排出する排出部材と、
上記第１の記録媒体が挿入されたときと、上記第２の記録媒体が挿入されたときとで、上記引き込み部材の回動を規制する第１のカム溝と、上記第１の記録媒体が挿入されたときと、上記第２の記録媒体が挿入されたときとで、上記排出部材の回動を規制する第２のカム溝とを有し、上記装置本体内を移動することにより、上記引き込み部材及び排出部材を駆動する移動部材と、
上記移動部材を駆動する駆動手段と、
上記第１の記録媒体が挿入されたときと、上記第２の記録媒体が挿入されたときとで、上記駆動手段の、起動タイミングを検出する検出手段とを備えることを特徴とする電子機器。
【発明の詳細な説明】
【技術分野】
【０００１】
本発明は、光ディスクに対して情報信号の記録及び／又は再生を行うディスクドライブ装置に関し、特に光ディスクを直接装置本体内に挿入することにより自動的に装着される、いわゆるスロットインタイプのディスクドライブ装置に関する。
【背景技術】
【０００２】
光ディスクとしては、従来よりＣＤ(Compact Disk)やＤＶＤ(Digital Versatile Disk)ＢＤ(Blue-ray Disk)といった光ディスク、ＭＯ(Magneto optical)やＭＤ(Mini Disk)等の光磁気ディスクが広く知られており、これらディスクやディスクカートリッジ等に対応した各種のディスクドライブ装置が登場している。
【０００３】
ディスクドライブ装置には、筐体に設けられた蓋や扉を開放し、そこから臨むターンテーブルにディスクを直接装着するタイプ、筐体から水平方向に出し入れされるディスクトレイにディスクを載置することで、ディスクトレイが引き込まれた際にディスクが筐体内部のターンテーブルに自動的に装着されるタイプ、或いはこのディスクトレイに設けられたターンテーブルにディスクを直接装着するタイプ等がある。しかしながら、何れのタイプも操作者にとって、蓋や扉を開閉したり、ディスクトレイを出し入れしたり、ターンテーブルにディスクを装着したりといった操作を必要とする。
【０００４】
これに対して、筐体の前面に設けられたディスク挿脱口からディスクを挿入するだけでディスクが自動的にターンテーブルに装着される、いわゆるスロットイン型のディスクドライブ装置がある。このスロットイン型のディスクドライブ装置には、ディスク挿脱口から挿入されたディスクを挟み込む相対向する一対のガイドローラを備え、これら一対のガイドローラを互いに逆向きに回転させることによって、ディスク挿脱口から挿入されたディスクを筐体の内部へと引き込むローディング動作と、このディスク挿脱口からディスクを筐体の外部へと排出するイジェクト動作とを行うものがある。
【０００５】
また、ディスクドライブ装置が搭載される、例えばノート型パーソナルコンピュータ等のモバイル機器では、更なる小型軽量薄型化が求められており、それに伴うディスクドライブ装置の小型軽量薄型化の要求が高まっている背景から、スロットイン型のディスクドライブ装置では、フロントパネルのディスク挿脱口から挿入されたディスクの外周部に当接される当接部が先端部に設けられ、基端部が回動可能に支持された複数の回動アームを配置し、これら回動アームを当該ディスクと平行な面内で回動させながら、ディスクをディスク挿脱口から筐体の内部へと引き込むローディング動作と、ディスクをディスク挿脱口から筐体の外部へと排出するイジェクト動作とを行うディスクドライブ装置が供給されている（例えば、特許文献１を参照。）。
【０００６】
この種のディスクドライブ装置においては、回動レバーをカム形状で回動させるスライダーを備え、スライダーを装置本体で前後にスライドさせることにより回動レバーを回動させ、ディスクの挿排出を行うものが多い。しかし、かかるスライダーのスライド動作に応じて回動レバーを回動させてディスクの挿排出を行うディスクドライブ装置には、例えば直径が約１２ｃｍの大径ディスクと、直径が約８ｃｍの小径ディスクの両方に対応しようとすると、ディスク搬送機構の構成が複雑となってしまう。
【０００７】
すなわち、大径ディスクと小径ディスクのいずれが挿入された場合でも、ディスクの中心孔がターンテーブル上に位置するセンタリング位置まで搬送する必要があり、そのためには、大径ディスクと小径ディスクとで使用するレバーを変えたり、各回動レバーの回動範囲を大径ディスクと小径ディスクとで変化させる必要がある。一方で、装置本体の小型化、薄型化の要請もあるため、ディスク搬送機構の部品点数や、配置スペースにも制約がある。
【０００８】
【特許文献１】特開２００５−１００５９５号公報
【発明の開示】
【発明が解決しようとする課題】
【０００９】
そこで、本発明は、装置本体の小型化、薄型化を図るとともに、第１の記録媒体と第１の記録媒体と大きさの異なる第２の記録媒体の両方に対応した搬送機構、この搬送機構を有する記録媒体駆動装置及びこの記録媒体駆動装置が組み込まれた電子機器を提供することを目的とする。
【課題を解決するための手段】
【００１０】
上述した課題を解決するために、本発明に係る搬送機構は、第１の記録媒体及び上記第１の記録媒体と大きさの異なる第２の記録媒体を装置本体の内外に亘って搬送する搬送機構において、装置本体内に回動自在に支持され、上記第１の記録媒体及び第２の記録媒体を装置本体内に引き込む引き込み部材と、上記装置本体内に回動自在に支持され、上記第１の記録媒体及び第２の記録媒体を装置本体外へ排出する排出部材と、上記第１の記録媒体が挿入されたときと、上記第２の記録媒体が挿入されたときとで、上記引き込み部材の回動範囲を変える第１のカム溝と、上記第１の記録媒体が挿入されたときと、上記第２の記録媒体が挿入されたときとで、上記排出部材の回動範囲を変える第２のカム溝とを有し、上記装置本体内を移動することにより、上記引き込み部材及び排出部材を駆動する移動部材と、上記移動部材を駆動する駆動手段と、上記第１の記録媒体が挿入されたときと、上記第２の記録媒体が挿入されたときの、上記駆動手段の、各起動タイミングを検出する検出手段とを備えるものである。
【００１１】
また、本発明に係る記録媒体駆動装置は、第１の記録媒体及び上記第１の記録媒体と大きさの異なる第２の記録媒体が搬送される装置本体と、上記装置本体内に搬送された第１の記録媒体及び第２の記録媒体を回転自在に保持すると共に、情報の記録及び／又は再生を行う記録再生ユニットと、装置本体内に回動自在に支持され、上記第１の記録媒体及び第２の記録媒体を装置本体内に引き込む引き込み部材と、上記装置本体内に回動自在に支持され、上記第１の記録媒体及び第２の記録媒体を装置本体外へ排出する排出部材と、上記第１の記録媒体が挿入されたときと、上記第２の記録媒体が挿入されたときとで、上記引き込み部材の回動を規制する第１のカム溝と、上記第１の記録媒体が挿入されたときと、上記第２の記録媒体が挿入されたときとで、上記排出部材の回動を規制する第２のカム溝とを有し、上記装置本体内を移動することにより、上記引き込み部材及び排出部材を駆動する移動部材と、上記移動部材を駆動する駆動手段と、上記第１の記録媒体が挿入されたときと、上記第２の記録媒体が挿入されたときとで、上記駆動手段の、起動タイミングを検出する検出手段とを備えるものである。
【００１２】
また、本発明に係る電子機器は、記録媒体駆動装置が組み込まれた電子機器において、上記記録媒体駆動装置は、第１の記録媒体及び上記第１の記録媒体と大きさの異なる第２の記録媒体が搬送される装置本体と、上記装置本体内に搬送された第１の記録媒体及び第２の記録媒体を回転自在に保持すると共に、情報の記録及び／又は再生を行う記録再生ユニットと、装置本体内に回動自在に支持され、上記第１の記録媒体及び第２の記録媒体を装置本体内に引き込む引き込み部材と、上記装置本体内に回動自在に支持され、上記第１の記録媒体及び第２の記録媒体を装置本体外へ排出する排出部材と、上記第１の記録媒体が挿入されたときと、上記第２の記録媒体が挿入されたときとで、上記引き込み部材の回動を規制する第１のカム溝と、上記第１の記録媒体が挿入されたときと、上記第２の記録媒体が挿入されたときとで、上記排出部材の回動を規制する第２のカム溝とを有し、上記装置本体内を移動することにより、上記引き込み部材及び排出部材を駆動する移動部材と、上記移動部材を駆動する駆動手段と、上記第１の記録媒体が挿入されたときと、上記第２の記録媒体が挿入されたときとで、上記駆動手段の、起動タイミングを検出する検出手段とを備えることを特徴とするものである。
【発明の効果】
【００１３】
本発明に係る搬送機構、記録媒体駆動装置及び電子機器によれば、第１の記録媒体が挿入された場合と第２の記録媒体が挿入された場合とで、駆動手段の起動タイミングが変えられる。したがって、移動部材が移動されるタイミングに応じて引き込み部材及び排出部材が別々のカムにガイドされて回動されるため、いずれの記録媒体が挿入された場合にも、装置本体内に引き込み、また、所定位置まで排出することができる。
【発明を実施するための最良の形態】
【００１４】
以下、本発明にかかる搬送機構、記録媒体駆動装置及び電子機器をディスクドライブ装置に適用した場合について、図面を参照しながら詳細に説明する。本発明が適用されたディスクドライブ装置は、例えば図１に示すように、ノート型パーソナルコンピュータ１０００の装置本体１００１に搭載されたスロットイン型のディスクドライブ装置１である。このディスクドライブ装置１は、装置全体が薄型化された構造を有しており、ＣＤ(Compact Disk)やＤＶＤ(Digital Versatile Disk)、ＢＤ(Blue-ray Disc)といった光ディスク２に対して情報信号の記録・再生を行うことが可能となっている。またディスクドライブ装置１は、例えば直径が１２ｃｍの大径ディスク２Ａと、直径が８ｃｍの小径ディスク２Ｂの挿排出と、これら大径ディスク２Ａ及び小径ディスク２Ｂに対する情報信号の記録及び／又は再生とが可能とされている。
【００１５】
このディスクドライブ装置１は、図２乃至図４に示すように、装置本体の外筐となる筐体３を備え、この筐体３は、下部筐体である略扁平箱状のボトムケース４と、このボトムケース４の上部開口部を覆う天板であるトップカバー５とから構成されている。
【００１６】
トップカバー５は、図４に示すように、薄い板金からなり、ボトムケース４の上部開口部を閉塞するものである。トップカバー５の略中央部には、略円形状の開口部７が形成されている。この開口部７は、後述するチャッキング動作時に光ディスク２の中心孔２ａに係合されるターンテーブル２３ａの係合突部３３ａを外部に臨ませるためのものである。なお、トップカバー５の開口部７の周囲は、ターンテーブル２３ａ上に保持された光ディスク２の中心孔２ａの周囲と当接されるように、筐体３の内側に向かって僅かに突出した当接突部を形成している。
【００１７】
ボトムケース４は、前面４ａ及び天面が開放され略扁平箱状に形成された板金からなる。ボトムケース４は、開放された前面４ａに後述するフロントパネル１８が取り付けられ、またこの前面４ａ側には、中央から右側面にかけて、駆動制御回路を構成するＩＣチップ等の電子部品や、各部の電気的な接続を図るためのコネクタ、各部の動作を検出するための検出スイッチ等が配置された回路基板４０がネジ止め等により取り付けられている。
【００１８】
またボトムケース４は、底面４ｄにベースユニット２２の配設領域に対応して開口部１１が形成されている。ボトムケース４は、ベースユニット２２の配設領域を開口することで、筐体３全体の厚みを抑えることができる。また、ボトムケース４の開口部１１の左側壁４ｅ側には、後述するスライダー５４の、前面４ａ側から背面壁４ｃ側に亘るスライドをガイドする一対のガイド突起１２，１２が、離間して突設されている。
【００１９】
このボトムケース４には、上記トップカバー５がネジ止めにより取り付けられている。具体的に、トップカバー５の側縁部に形成された側板部５ｂにネジを貫通させる複数の貫通孔が形成されている。一方、ボトムケース４の側壁には、トップカバー５の貫通孔に対応したネジ孔が形成されている。そして、ボトムケース４にトップカバー５を取り付ける際は、トップカバー５の側板部に形成された貫通孔とボトムケース４のネジ孔とを連通させ、ネジで螺合する。これにより、トップカバー５がボトムケース４の上部開口部を閉塞した状態となる。
【００２０】
また、ボトムケース４の右側壁４ｂ及び背面壁４ｃには、後述するベースユニット２２を回動自在に支持する支持片１６，１７が形成されている。支持片１６，１７は、それぞれ、右側壁４ｂ及び背面壁４ｃよりボトムケース４の内側に向かって折り曲げられることにより略相対向される。そして支持片１６，１７は、ベースユニット２２のベースシャーシ２７に突設されている回動支持ピン２８，２９が挿通される挿通孔１６ａ，１７ａが穿設されている。これにより支持片１６，１７は、ベースユニット２２を昇降可能に支持する。
【００２１】
筐体３の前面には、図２に示すように、略矩形平板状のフロントパネル１８が取り付けられている。このフロントパネル１８には、光ディスク２が水平方向に出し入れされる矩形状のディスク挿脱口１９が設けられている。すなわち、光ディスク２は、このディスク挿脱口１９から筐体３の内部へと挿入したり、或いはこのディスク挿脱口１９から筐体３の外部へと排出したりすることが可能となっている。ディスク挿脱口１９には、長手方向と直交する方向の両辺部に図示しないパネルカーテンが形成されている。パネルカーテンは、長尺状に切断された不織布等からなりフロントパネル１８の背面側に接着剤等によって貼着されることにより、筐体３内に塵埃等が侵入することを防止すると共に、光ディスク２が挿脱される際にディスク表面に摺接し、これにより光ディスク２に付着した塵埃等を除去することができる。
【００２２】
次いで、このドライブ本体を構成するベースユニット２２について説明する。このベースユニット２２は、図３及び図５に示すように、ボトムケース４の略中央部から背面壁４ｃ及び右側壁４ｂとが当接されてなる右奥角部にかけて配設される。ベースユニット２２は、略矩形状のフレーム体からなるベースシャーシ２７を有し、長手方向の一端側をボトムケース４の略中央部に位置され、他端側をボトムケース４の右奥角部に位置される。
【００２３】
ベースユニット２２は、ボトムケース４の略中央部に位置するベースシャーシ２７の一端側に、ディスク挿脱口１９から筐体３の内部に挿入された光ディスク２が装着されるディスク装着部２３と、このディスク装着部２３に装着された光ディスク２を回転駆動するディスク回転駆動機構２４とが設けられている。また、ベースユニット２２は、ベースシャーシ２７がボトムケース４の右側壁４ｂ及び背面壁４ｃの支持片１６，１７に支持されている。そしてベースユニット２２は、支持片１６，１７に支持されるとともに、後述するベース昇降機構１４０によって操作されることにより、ディスク装着部２３が、光ディスク２のチャッキング位置と、記録再生位置と、チャッキング解除位置に亘って昇降される。
【００２４】
またベースユニット２２は、ディスク回転駆動機構２４により回転駆動される光ディスク２に対して信号の書き込み又は読み出しを行う光ピックアップ２５と、この光ピックアップ２５を長手方向に亘って搬送することにより光ディスク２の半径方向に送り動作させるピックアップ送り機構２６とを有し、これらがベースシャーシ２７に一体に設けられている。
【００２５】
ベースシャーシ２７は、板金を所定の形状に打ち抜き、その周囲を僅かに下方に折り曲げて形成されている。ベースシャーシ２７の主面には、後述するディスク装着部２３のターンテーブル２３ａを上方へと臨ませる略半円状のテーブル用開口部２７ａと、後述する光ピックアップ２５の対物レンズ２５ａを上方へと臨ませる略矩形状のピックアップ用開口部２７ｂと、ピックアップ送り機構２６の送りモータ３２が配設される略円弧状の送りモータ用開口部２７ｃとが連続するように形成されている。
【００２６】
またベースシャーシ２７は、長手方向の他端側に、ボトムケース４の右側壁４ｂの支持片１６に穿設された挿通孔１６ａに挿通される回動支持ピン２８と、ボトムケース４の背面壁４ｃの支持片１７に穿設された挿通孔１７ａに挿通される回動支持ピン２９とが突設されている。またベースシャーシ２７は、長手方向の一端側に、後述するスライダー５４に係合される第１のカムピン３０及び昇降レバー１４２に挿通支持される第２のカムピン３１が勘合する嵌合凹部３８が形成されている。
【００２７】
ベースシャーシ２７は、光ディスク２の搬送に応じてスライダー５４がスライド操作されるとともに昇降レバー１４２が回動操作されると、第１，第２のカムピン３０，３１がそれぞれスライダー５４の昇降カム１４１及び昇降レバー１４２によって昇降されることにより、回動支持ピン２８，２９を支点にディスク装着部２３側が昇降操作される。これによりベースシャーシ２７は、ボトムケース４の略中央部に位置するディスク装着部２３を光ディスク２に対して近接又は離間させることができる。
【００２８】
具体的に、ベースシャーシ２７は、光ディスク２が筐体３内に挿入されていない光ディスク２の挿入待機状態では、ディスク装着部２３が下降され、ディスク搬送領域上から退避されている。光ディスク２が挿入され、センタリング位置まで引き込まれると、ベースシャーシ２７は光ディスク２をディスク装着部２３のターンテーブル２３ａとトップカバー５に開口された開口部７の当接突部とで挟持するディスクチャッキング位置まで上昇される。ディスクチャッキングが終了すると、ベースシャーシ２７は、記録再生位置に下降される。ベースシャーシ２７は、光ディスク２の排出時には、ボトムケース４側に下降されてディスク装着部２３と光ディスク２との係合が解除されるとともに、光ディスク２の搬送領域上から退避される。
【００２９】
なおベースシャーシ２７は、詳細を省略する付勢部材によってターンテーブル２３ａ側の端部がボトムケース４の底面４ｄ側に付勢されている。そしてベースシャーシ２７は、後述するベース昇降機構１４０によって、かかる付勢部材による底面４ｄ側への付勢力を受けながら昇降操作される。したがってベースシャーシ２７は、昇降操作の際にがたつくことなく昇降位置に固定される。
【００３０】
ディスク装着部２３は、ディスク回転駆動機構２４により回転駆動されるターンテーブル２３ａを有し、このターンテーブル２３ａの中心部には、光ディスク２を装着するためのチャッキング機構３３が設けられている。このチャッキング機構３３は、光ディスク２の中心孔２ａに係合される係合突部３３ａと、この係合突部３３ａに係合された光ディスク２の中心孔２ａの周囲を係止する複数の係止爪３３ｂとを有し、光ディスク２をターンテーブル２３ａ上に保持する。
【００３１】
ディスク回転駆動機構２４は、光ディスク２をターンテーブル２３ａと一体に回転駆動する扁平状のスピンドルモータ２４ａを有し、このスピンドルモータ２４ａは、上面部に設けられたターンテーブル２３ａがベースシャーシ２７のテーブル用開口部２７ａから僅かに突出するように、支持板を介してベースシャーシ２７の下面にネジ止めにより取り付けられている。
【００３２】
光ピックアップ２５は、光源となる半導体レーザから出射された光ビームを対物レンズ２５ａにより集光させて光ディスク２の信号記録面に照射し、この光ディスク２の信号記録面で反射された戻りの光ビームを受光素子等からなる光検出器により検出する光学ブロックを有し、光ディスク２に対する信号の書き込み又は読み出しを行うようになされている。
【００３３】
また、この光ピックアップ２５は、対物レンズ２５ａを光軸方向（フォーカシング方向という。）と、光ディスクの記録トラックと直交する方向（トラッキング方向という。）とに変位駆動する２軸アクチュエータ等の対物レンズ駆動機構を有し、上述した光検出器により検出された光ディスク２からの検出信号に基づいて、この２軸アクチュエータにより対物レンズ２５ａをフォーカシング方向及びトラッキング方向に変位させながら、光ディスク２の信号記録面上に対物レンズ２５ａの焦点を合わせるフォーカスサーボや、対物レンズ２５ａにより集光される光ビームのスポットを記録トラックに追従させるトラッキングサーボ等の駆動制御を行うようになされている。なお、対物レンズ駆動機構としては、このようなフォーカシング制御及びトラッキング制御に加えて、対物レンズ２５ａにより集光された光ビームを光ディスク２の信号記録面に垂直に照射させるように、光ディスク２の信号記録面に対する対物レンズ２５ａの傾き（スキュー）を調整可能とする３軸アクチュエータを用いてもよい。
【００３４】
ピックアップ送り機構２６は、光ピックアップ２５が搭載されたピックアップベース３４と、このピックアップベース３４を光ディスク２の半径方向にスライド可能に支持する一対のガイド軸３５ａ，３５ｂと、これら一対のガイド軸３５ａ，３５ｂに支持されたピックアップベース３４を光ディスク２の半径方向に駆動する送りモータ３２とを有している。
【００３５】
ピックアップベース３４には、一対のガイド軸３５ａ，３５ｂのうち、一方のガイド軸３５ａを挿通するガイド孔が形成された一対のガイド片３７ａ，３７ｂと、他方のガイド軸３５ｂを挟み込むガイド溝が形成されたガイド片３６とが互いに反対の側面から突出形成されている。これにより、ピックアップベース３４は、一対のガイド軸３５ａ，３５ｂにスライド可能に支持されている。
【００３６】
一対のガイド軸３５ａ，３５ｂは、ベースシャーシ２７の下面に光ディスク２の半径方向に亘って互いに平行となるように配置されており、ベースシャーシ２７のピックアップ用開口部２７ｂから臨むピックアップベース３４を光ディスク２の内外周に亘って案内する。
【００３７】
送りモータ３２は、回転駆動をピックアップベース３４に設けられたラック４２を介して直線駆動に変換し、ピックアップベース３４を一対のガイド軸３５ａ，３５ｂに沿った方向、すなわち光ディスク２の半径方向に駆動させるものであり、ギヤ列４１を介してリードスクリュー４３と連結されている。リードスクリュー４３には、ピックアップベース３４に設けられたラック４２が係合され、送りモータ３２によって回転されると、回転数に応じてピックアップベース３４を軸方向へ搬送する。
【００３８】
また、ボトムケース４の底面４ｄには、図３に示すようにチャッキング機構３３に係止された光ディスク２を、ターンテーブル２３ａから取り外すチャッキング解除ピン３９が立設されている。チャッキング解除ピン３９は、ディスク装着部２３がボトムケース４側に下降されると、頂部が光ディスク２の裏面に当接し、ターンテーブル２３ａより突き上げる。これにより光ディスク２は、チャッキング機構３３との係合が解除され、後述するディスク搬送機構５０によって筐体３より排出可能となる。なおチャッキング解除ピン３９は、光ディスク２の内周側で非信号記録領域と当接する位置に立設されている。
【００３９】
またディスクドライブ装置１は、ディスク挿脱口１９から光ディスク２が挿入され、筐体３の内部への引き込みが開始される引き込み位置（図１６、図２５）と、ディスク装着部２３のターンテーブル２３ａに位置合わせされ光ディスク２が装着されるセンタリング位置（図１９、図２８）と、記録再生動作の終了後、光ディスク２がディスク挿脱口１９より排出される排出位置（図２２、図３３）との間で光ディスク２の搬送を行うディスク搬送機構５０を備えている。
【００４０】
ディスク搬送機構５０は、光ディスク２の主面と平行な面内で回動可能に支持され光ディスク２の引き込み又は排出を行うローディングレバー５１及びイジェクトレバー５２と、光ディスク２の主面と平行な面内でスライド可能に支持され光ディスク２の外周を支持するガイドレバー５３と、これらローディングレバー５１、イジェクトレバー５２及びガイドレバー５３を駆動するスライダー５４と、ガイドレバー５３及びローディングレバー５１を支持するガイドプレート５５と、スライダー５４をスライド操作する駆動モータ５６とを有している。
【００４１】
またディスク搬送機構５０は、大径ディスク２Ａ及び小径ディスク２Ｂの搬送が可能とされ、挿入される光ディスク２の径に応じて異なるローディングレバー５１及びイジェクトレバー５２の回動位置と、スライダー５４の起動タイミングとを制御することによって、これらローディングレバー５１及びイジェクトレバー５２の動作を変える。これによりディスク搬送機構５０は大小径の異なる光ディスク２Ａ，２Ｂを一つのディスク装着部２３に搬送し、またディスク挿脱口１９へ排出する。
【００４２】
以下、かかるディスク搬送機構５０の各構成部材について詳細に説明する。
【００４３】
ローディングレバー５１は、光ディスク２をディスク装着部２３上に引き込むものであり、略矩形状に形成されたレバー本体５１ａがボトムケース４の左側壁４ｅ側であって、ディスク装着部２３よりもディスク挿脱口１９側に回動自在に支持され、先端部が図３中矢印ａ１方向及び矢印ａ２方向に回動可能とされている。具体的に、ローディングレバー５１は、図６（ａ）及び図６（ｂ）に示すように、平板状の板金からなるレバー本体５１ａを備え、このレバー本体５１ａの一端部に挿通孔６０が穿設され、この挿通孔６０が後述するガイドプレート５５に回動自在にビス止めされている。これにより、ローディングレバー５１は、挿通孔６０を支点にガイドプレート５５上を、光ディスク２を引き込む図３中矢印ａ１方向及び光ディスク２をイジェクトする図３中矢印ａ２方向へ回動可能に支持されている。
【００４４】
またローディングレバー５１は、挿通孔６０を境とした背面壁４ｃ側の一端にバネ係止片６１が形成されている。バネ係止片６１は、一端がボトムケース４に形成されたバネ掛け片６２に係止されたコイルバネ６３の他端が前面４ａ側から係止される。これによりローディングレバー５１は、光ディスク２を筐体３内に引き込む図３中矢印ａ１方向に回動付勢されている。
【００４５】
またローディングレバー５１は、挿通孔６０を境とした前面４ａ側の他端に光ディスク２の外周部に当接して支持する当接部６４が形成されている。当接部６４は、ローディングレバー５１の先端に挿通された支軸に小径の回転ローラ６４ａが回転可能に取り付けられることにより形成されている。回転ローラ６４ａは、光ディスク２よりも柔らかい樹脂からなり、ディスク挿脱口１９から挿入された光ディスク２の外周部と当接される中央部分が内側に湾曲し、その両端部が拡径されたフランジ部として光ディスク２の高さ方向の移動を規制する略鼓形形状を有している。
【００４６】
さらにローディングレバー５１は、スライダー５４に形成されたローディングガイド溝１１４の第１，第２のローディングカム１１６，１１７と係合する第１のガイドピン６６及び第２のガイドピン６７とが突設されている。ローディングレバー５１は、これら第１，第２のガイドピン６６，６７が、大径ディスク２Ａが挿入された場合にはスライダー５４の第１のローディングカム１１６にガイドされ、小径ディスク２Ｂが挿入された場合には第２のローディングカム１１７にガイドされることにより、大径ディスク２Ａあるいは小径ディスク２Ｂをディスク装着部２３上へ引き込むように回動される。
【００４７】
なお、光ディスク２の挿入待機状態において、コイルバネ６３の付勢力によって矢印ａ１方向へ回動付勢されたローディングレバー５１は、第１のガイドピン６６が後述するスライダー５４に形成されたカム溝１２０に係止されることにより、その回動位置が規制されるとともに矢印ａ１方向への回動が防止され、ディスク挿脱口１９から挿入された光ディスク２が当接部６４に当接することにより矢印ａ２方向へ回動可能とされている。
【００４８】
また、ローディングレバー５１は、小径ディスク２Ｂの排出時に、後述するガイドレバー５３に押圧されて矢印ａ１方向への回動が規制される押圧片６８が形成されている。押圧片６８は、小径ディスク２Ｂの排出時にローディングレバー５１が矢印ａ１方向へ回動されることにより、当接部６４が排出方向の前面側を押圧して小径ディスク２Ｂを引き込み方向に付勢することを防止するものである。
【００４９】
イジェクトレバー５２は、ディスク装着部２３から光ディスク２をディスク挿脱口１９外へ排出するものであり、略矩形状に形成されたレバー本体５２ａがボトムケース４に左側壁４ｅ側であってディスク装着部２３よりも背面壁４ｃ側に回動自在に支持されている。このイジェクトレバー５２は、図７（ａ）及び図７（ｂ）に示すように、矩形平板状の板金からなるレバー本体５２ａを備え、このレバー本体５２ａの一端部に挿通孔７０が穿設され、挿通孔７０が後述する駆動モータ５６の支持プレート５８に回動自在にビス止めされている。これによりイジェクトレバー５２は、挿通孔７０を支点に支持プレート５８上を、光ディスク２の挿入方向である図３中矢印ｂ１方向及び光ディスク２を排出する図３中矢印ｂ２方向へ回動可能に支持されている。
【００５０】
またイジェクトレバー５２は、バネ係止片７１が形成されている。バネ係止片７１は、一端がボトムケース４に形成されたバネ掛け片７２に係止されたコイルバネ７３の他端がボトムケース４の前面４ａ側から係止される。これによりイジェクトレバー５２は、光ディスク２を筐体３外へ排出する図３中矢印ｂ２方向に回動付勢されている。
【００５１】
またイジェクトレバー５２は、挿通孔７０が形成された一端部と反対側の他端部に光ディスク２の外周部に当接して支持する当接部７４が形成されている。当接部７４は、イジェクトレバー５２の先端に挿通された支軸に小径の回転ローラ７４ａが回転可能に取り付けられている。回転ローラ７４ａは、光ディスク２よりも柔らかい樹脂からなり、ディスク挿脱口１９から挿入された光ディスク２の外周部と当接される中央部分が内側に湾曲し、その両端部が拡径されたフランジ部として光ディスク２の高さ方向の移動を規制する略鼓形形状を有している。
【００５２】
さらにイジェクトレバー５２は、スライダー５４に形成されたイジェクトガイド溝１１５の第１，第２のイジェクトカム１１８，１１９と係合する第１のガイドピン７６が突設されている。イジェクトレバー５２は、この第１のガイドピン７６が、大径ディスク２Ａが挿入された場合にはスライダー５４の第１のイジェクトカム１１８にガイドされ、小径ディスク２Ｂが挿入された場合には第２のイジェクトカム１１９にガイドされることにより、大径ディスク２Ａあるいは小径ディスク２Ｂをディスク装着部２３上へ搬送するように回動される。
【００５３】
なお、光ディスク２の挿入待機状態において、コイルバネ７３の付勢力によって矢印ｂ２方向へ回動付勢されたイジェクトレバー５２は、第１のガイドピン７６が後述するスライダー５４に形成されたカム溝１２１に係止されることにより、その回動位置が規制され、矢印ｂ２方向への回動が防止されると共に、ディスク挿脱口１９から挿入された光ディスク２が当接部７４に当接することにより矢印ｂ１方向へ回動可能とされている。
【００５４】
ガイドレバー５３は、ローディングレバー５１及びイジェクトレバー５２とを光ディスク２の搬送方向と略直交する図３中矢印ｃ１方向及びｃ２方向に亘って筐体３の左右側壁４ｅ，４ｂの間をスライド自在とされることにより、光ディスク２の右側壁４ｂ側の外周部を支持するものである。このガイドレバー５３は、図８に示すように、矩形平板状に板金を打ち抜き形成され後述するガイドプレート５５にスライド自在に支持されたレバー本体５３ａと、レバー本体５３ａの一端に取り付けられ光ディスク２の外周部を支持するガイドレール５３ｂとを有する。ガイドレバー５３は、レバー本体５３ａの長手方向を光ディスク２の搬送方向と略直交する方向として筐体３内に配設され、その右端部にガイドレール５３ｂが取り付けられている。
【００５５】
レバー本体５３ａには、スライダー５４に突設されたガイド凸部１３０によってスライド操作されるスライドカム溝８１と、ガイドプレート５５に突設されたガイドピン１０２，１０２が挿通される第１、第２のガイド溝８３，８４と、コイルバネ９０が係止されるバネ係止片８５が形成されている。
【００５６】
スライドカム溝８１は、スライダー５４のガイド凸部１３０がスライドすることによりレバー本体５３ａがスライド操作されるものであり、図８に示すように、レバー本体５３ａの左側端部に形成され、スライダー５４のスライド方向、すなわちディスクドライブ装置１においては筐体３の前後方向に亘って、第１のスライドカム部８６と第２のスライドカム部８７とが形成されている。第１，第２のスライドカム部８６，８７は、所定の距離を隔てて平行に形成されるとともに、ボトムケース４の前面４ａ側に形成された横断カム部８８を介して連続されている。
【００５７】
左側壁４ｅ側に形成された第１のスライドカム部８６は、大径ディスク２Ａが挿入された場合にスライダー５４のガイド凸部１３０にスライドされる。この第１のスライドカム部８６は、背面壁４ｃ側に延設されガイドレール５３ｂが大径ディスク２Ａの外周部を支持するようにガイドされるガイド部８６ａと、ガイド部８６ａより左側壁４ｅ側に傾斜する傾斜部８６ｂと、傾斜部８６ｂより背面壁４ｃ側に延設されガイドレール５３ｂが大径ディスク２Ａの外周部と離間するリリース部８６ｃとが形成されている。そして第１のスライドカム部８６は、スライダー５４が背面壁４ｃ側にスライドされることにより、ガイド凸部１３０がガイド部８６ａからリリース部８６ｃへ移動する。これによりガイドレバー５３は、大径ディスク２Ａの搬送時においてはレバー本体５３ａが図３中矢印ｃ１方向にスライド操作され、ガイドレール５３ｂが外周部を支持し、記録再生時にはレバー本体５３ａが図３中矢印ｃ２方向にスライド操作され、ガイドレール５３ｂが外周部より離間する。
【００５８】
右側壁４ｂ側に形成された第２のスライドカム部８７は、小径ディスク２Ｂが挿入された場合にスライダー５４のガイド凸部１３０にスライドされる。第２のスライドカム部８７も、第１のスライドカム部８６と同様に、背面壁４ｃ側に延設されガイドレール５３ｂが小径ディスク２Ｂの外周部を支持するようにガイドされるガイド部８７ａと、ガイド部８７ａより左側壁４ｅ側に傾斜する傾斜部８７ｂと、傾斜部８７ｂより背面壁４ｃ側に延設されガイドレール５３ｂが小径ディスク２Ｂの外周部と離間するリリース部８７ｃとが形成されている。そして第２のスライドカム部８７は、スライダー５４が背面壁４ｃ側にスライドされることにより、ガイド凸部１３０がガイド部８７ａからリリース部８７ｃへ移動する。これによりガイドレバー５３は、小径ディスク２Ｂの搬送時においてはレバー本体５３ａが図３中矢印ｃ１方向にスライド操作され、ガイドレール５３ｂが外周部を支持し、記録再生時にはレバー本体５３ａが図３中矢印ｃ２方向にスライド操作され、ガイドレール５３ｂが外周部より離間する。
【００５９】
横断カム部８８は、スライダー５４のガイド凸部１３０を第１のスライドカム部８６と第２のスライドカム部８７との間に亘って移動させるものである。この横断カム部８８は、スライダー５４が背面壁４ｃ側へのスライドを開始する前において、ガイドレール５３ｂがディスク挿脱口１９より挿入された光ディスク２に押圧されてレバー本体５３ａが図３中矢印ｃ２方向へスライドされると、スライダー５４のガイド凸部１３０が第１のスライドカム部８６と第２のスライドカム部８７との間に亘って移動する。
【００６０】
第１、第２のガイド溝８３，８４は、ガイドレバー５３の筐体３の左右方向に亘るスライドをガイドするものであり、それぞれレバー本体５３ａの長手方向に亘って形成されるとともに、ガイドプレート５５に突設されたガイドピン１０２，１０２が挿通されている。このうち、右側壁４ｂ側に設けられた第２のガイド溝８４は、右側壁４ｂ側の端部にレバー本体５３ａを回動させる回動ガイド部８９が形成されている。回動ガイド部８９は、第２のガイド溝８４より背面壁４ｃ側に延設されており、ガイドピン１０２が挿通することにより、レバー本体５３ａが前面４ａ側に回動可能とする。これによりガイドレバー５３は、ガイドレール５３ｂによって小径ディスク２Ｂを筐体３外へ押し出すことができる。
【００６１】
バネ係止片８５は、レバー本体５３ａの右端部に形成され、ガイドプレート５５との間に左側壁４ｅ側で、且つ前面４ａ側からコイルバネ９０が架け渡される。これによりガイドレバー５３は、常時コイルバネ９０によって左側壁４ｅ側に付勢される。またガイドレバー５３は、コイルバネ９０によって前面４ａ側へ付勢されるため、レバー本体５３ａが矢印ｃ１方向へスライドされると、ガイドピン１０２が回動ガイド部８９を挿通するとともにレバー本体５３ａが前面４ａ側に回動される。
【００６２】
なおレバー本体５３ａには、ローディングレバー５１に形成された押圧片６８と当接される押圧突部９１が形成されている。押圧突部９１は、小径ディスク２Ｂの排出時に、ローディングレバー５１の当接部６４が小径ディスク２Ｂの排出方向前面側を引き込み方向に押圧することを防止するものであり、ローディングレバー５１の押圧突部９１と当接されることによりローディングレバー５１の矢印ａ１方向への回動を規制する。
【００６３】
またレバー本体５３ａには、小径ディスク２Ｂが筐体３内の左右何れかに偏倚して挿入された場合に、小径ディスク２Ｂの挿入方向を規制する規制片９２が形成されている。規制片９２は、第１のスライドカム部８６のリリース部８６ｃの直上に形成され、先端が右側壁４ｂ側に曲げられた鉤状をなす。また規制片９２は、光ディスク２の挿入待機状態において、ローディングレバー５１の第２のガイドピン６７の近傍に位置されている。
【００６４】
かかる規制片９２は、ガイドレバー５３が矢印ｃ２方向へスライドされると、挿入待機状態にあるローディングレバー５１の第２のガイドピン６７と当接される。ローディングレバー５１は、第１のガイドピン６６がスライダー５４のカム溝１２０に係止されることにより矢印ａ１方向への回動が規制されているため、規制片９２が第２のガイドピン６７に当接されることにより、ガイドレバー５３の矢印ｃ２方向へのスライドを防止する（図３４）。したがって、規制片９２は、小径ディスク２Ｂがガイドレバー５３側に偏倚して挿入された場合に、ガイドレバー５３の矢印ｃ２方向へのスライドを防止して小径ディスク２Ｂをローディングレバー５１側へ導き、イジェクトレバー５２を回動させることができる。
【００６５】
また規制片９２は、ガイドレバー５３が挿入待機状態にあるときに、ローディングレバー５１が矢印ａ２方向へ回動されると、第２のガイドピン６７が係止される。ガイドレバー５３は、挿入待機状態では、第１、第２のガイド溝８３，８４にガイドピン１０２が係止されることにより矢印ｃ２方向へのスライドが規制されているため、第２のガイドピン６７が規制片９２に係止されることにより、ローディングレバー５１の矢印ａ２方向への回動を防止する（図３６）。これにより、規制片９２は、小径ディスク２Ｂがローディングレバー５１側へ偏倚して挿入された場合に、ローディングレバー５１の矢印ａ２方向への回動を防止して、後述する第１のスイッチＳＷ１が押圧されることを防止する。
【００６６】
なお、かかる小径ディスク２Ｂが筐体３内の左右何れかに偏倚して挿入された場合における挿入工程については、後に詳述する。
【００６７】
ガイドレール５３ｂは、光ディスク２の外周部を支持するものであり、合成樹脂を成型することにより形成されている。ガイドレール５３ｂは、断面略コ字状に形成されたガイド溝形状をなし光ディスク２の外周部を上下面及び側壁で支持する。またガイドレール５３ｂは、レバー本体５３ａの右端部に穿設されている取付孔（図示せず）に嵌合される嵌合凸部（図示せず）が突設され、レバー本体５３ａに取り付けられることにより、光ディスク２の搬送方向に亘って延設される。
【００６８】
またレバー本体５３ａに取り付けられたガイドレール５３ｂは、略く字状に形成されることにより、光ディスク２をボトムケース４の背面壁４ｃ側に押圧する引き込みガイド部９４と、光ディスク２をボトムケース４の前面４ａ側に押圧する排出ガイド部９５とが形成されている。引き込みガイド部９４は、排出ガイド部９５との接点を境に背面壁４ｃ側が右側壁４ｂ側に向かって傾斜されている。これにより引き込みガイド部９４は、光ディスク２が筐体３内に引き込まれる際に、光ディスク２の外周部をボトムケース４の前面４ａ側に押圧するとともに、光ディスク２のセンタリングを行う。また排出ガイド部９５は、引き込みガイド部９４との接点を境に前面４ａ側が右側壁４ｂ側に向かって傾斜されている。これにより排出ガイド部９５は、光ディスク２を筐体３の外へ排出する際に、光ディスク２の外周部をボトムケース４の前面４ａ側に押圧するとともに、光ディスク２のうち小径ディスク２Ｂを所定の排出位置まで押し出す。
【００６９】
かかるガイドレバー５３を支持するガイドプレート５５は、ボトムケース４の前面４ａ側に回路基板４０と一部重なるように配設されている。ガイドプレート５５は、図９に示すように、ボトムケース４の左側壁４ｅ側に、ローディングレバー５１を支持する支持アーム１０１と、ガイドレバー５３を支持するガイドピン１０２が立設されたガイドアーム１０３とが形成されている。
【００７０】
支持アーム１０１は、後述するスライダー５４上を跨いで左側壁４ｅ側へ延設されている。支持アーム１０１の先端には、支持アーム１０１をスライダー５４よりも高い位置に保持するための支持ピン１０４が挿通されている。支持ピン１０４は、支持アーム１０１を挿通し、ボトムケース４の底面４ｅに設けられたボスに係合されている。
【００７１】
また支持アーム１０１は、スライダー５４より左側壁４ｅ側の位置に、ローディングレバー５１を回動自在に支持している。支持アーム１０１は、ローディングレバー５１をスライダー５４よりも高い位置で支持することで、スライダー５４のスライド領域上にローディングレバー５１を回動させることができ、またスライダー５４の主面に形成された第１，第２のローディングカム１１６，１１７に、第１，第２のガイドピン６６，６７を係合させることができる。
【００７２】
なお、支持アーム１０１は、起端側に後述するベース昇降機構１４０上を跨ぐ高架部１０１ａが形成されている。
【００７３】
ガイドアーム１０３は、先端にガイドレバー５３の第１のガイド溝８３に挿通されるガイドピン１０２が立設される。
【００７４】
またガイドプレート５５は、主面の略中央にガイドレバー５３の第２のガイド溝８４に挿通されるガイドピン１０２が立設されている。またガイドプレート５５は、ガイドレバー５３のバネ係止片８５との間に架け渡されるコイルバネ９０の一端が係止されるバネ係止部１０５が形成されている。
【００７５】
次いで、スライダー５４について説明する。スライダー５４は、ボトムケース４を前面４ａと背面壁４ｃとの間に亘ってスライド操作されることにより、ローディングレバー５１、イジェクトレバー５２及びガイドレバー５３を駆動するとともに、ベースユニット２２のベースシャーシ２７を昇降操作するものである。
【００７６】
スライダー５４は、駆動モータ５６によってスライドされる。駆動モータ５６は、図３に示すように、ボトムケース４の背面壁４ｃ側で、左側壁４ｅ近傍に配設され、支持プレート５８に配設されたギヤ列５７を介してスライダー５４と連結されている。この駆動モータ５６は、光ディスク２が所定位置まで挿入され、ローディングレバー５１及びイジェクトレバー５２によってボトムケース４に配設された第１、第２のスイッチＳＷ１、ＳＷ２が押圧されると、スライダー５４を背面壁４ｃ側である図３中矢印ｄ１方向へスライドさせる正転方向に駆動される。また駆動モータ５６は、光ディスク２のイジェクト操作がされると、スライダー５４を図３中矢印ｄ２方向にへスライドさせる逆転方向に駆動される。
【００７７】
駆動モータ５６は、ギヤ列５７を介することにより回転運動が直線運動に変換され、スライダー５４を矢印ｄ１方向及び矢印ｄ２方向へスライドさせることができる。スライダー５４は、光ディスク２の挿入及び引き込み、あるいは排出動作に応じて図３中矢印ｄ１方向及び矢印ｄ２方向へスライドされることにより、ディスク搬送機構５０のローディングレバー５１、イジェクトレバー５２あるいはガイドレバー５３移動させ、またベースシャーシ２７の昇降操作を行う。
【００７８】
かかるスライダー５４は、図１０に示すように、全体が矩形平板状に形成された樹脂部材からなり、長手方向に離間して一対のスライド孔１１１，１１１が形成されている。スライド孔１１１，１１１は、スライダー５４のスライド方向を長手方向とする長孔であり、ボトムケース４に立設されているスライドピン１１２，１１２が挿通される。スライダー５４は、スライド孔１１１，１１１がスライドピン１１２，１１２に挿通することにより、矢印ｄ１方向及び矢印ｄ２方向へのスライドがガイドされる。
【００７９】
またスライダー５４は、ローディングレバー５１の第１、第２のガイドピン６６，６７と係合されることにより、スライドに応じてローディングレバー５１を回動させるローディングガイド溝１１４と、イジェクトレバー５２の第１のガイドピン７６と係合されることにより、スライドに応じてイジェクトレバー５２を回動させるイジェクトガイド溝１１５とが形成されている。
【００８０】
ローディングガイド溝１１４は、大径ディスク２Ａが挿入された場合にローディングレバー５１をガイドする第１のローディングカム１１６と、小径ディスク２Ｂが挿入された場合にローディングレバー５１をガイドする第２のローディングカム１１７とを有する。
【００８１】
また、第１のローディングカム１１６は、スライダー５４の前後に離間して形成されることにより、光ディスク２の引き込み前半においてローディングレバー５１をガイドする先行カム部１１６ａと、大径ディスク２Ａの引き込み後半においてローディングレバー５１をガイドする後行カム部１１６ｂとを有する。同様に、第２のローディングカム１１７は、スライダー５４の前後に離間して形成されることにより、小径ディスク２Ｂの引き込み前半においてローディングレバー５１をガイドする先行カム部１１７ａと、小径ディスク２Ｂの引き込み後半においてローディングレバー５１をガイドする後行カム部１１７ｂとを有する。
【００８２】
またイジェクトガイド溝１１５は、ローディングガイド溝１１４と同様に、大径ディスク２Ａが挿入された場合にイジェクトレバー５２をガイドする第１のイジェクトカム１１８と、小径ディスク２Ｂが挿入された場合にイジェクトレバー５２をガイドする第２のイジェクトカム１１９とを有する。
【００８３】
ローディングガイド溝１１４は、スライダー５４の長手方向の略中央から前面４ａ側にかけて形成されている。第１のローディングカム１１６の先行カム部１１６ａ及び第２のローディングカム１１７の先行カム部１１７ａは、ともにローディングレバー５１の第１のガイドピン６６をガイドするものであり、スライダー５４の略中央部に形成されているカム壁１２２の一面側が先行カム部１１６ａとされ、他面側が先行カム部１１７ａとされる。
【００８４】
また第１のローディングカム１１６の後行カム部１１６ｂ及び第２のローディングカム１１７の後行カム部１１７ｂは、ともにローディングレバー５１の第２のガイドピン６７をガイドするものであり、スライダー５４の前面４ａ側にかけて略平行に形成されている。スライダー５４の左側壁４ｅ側には、大径ディスク２Ａが挿入された場合にローディングレバー５１の第２のガイドピン６７をガイドする第１のローディングカム１１６の後行カム部１１６ｂが形成され、その右側に、小径ディスク２Ｂが挿入された場合に第２のガイドピン６７をガイドする第２のローディングカムの後行カム部１１７ｂが形成されている。各後行カム部１１６ｂ，１１７ｂは、ローディングレバー５１を光ディスク２の引き込み方向となる矢印ａ１方向へ回動させる引き込み部１２３と、スライダー５４のスライド方向に亘って形成され光ディスク２のセンタリング位置においてローディングレバー５１の回動を規制する回動規制部１２４と、回動規制部１２４よりも左側壁４ｅ側に形成されローディングレバー５１を光ディスク２の外周から離間させるリリース部１２５と、回動規制部１２４及びリリース部１２５を接続する傾斜部１２６とが形成されている。
【００８５】
同様に、第１のイジェクトカム１１８及び第２のイジェクトカム１１９は、スライダー５４のスライド方向に亘って形成され光ディスク２のセンタリング位置においてイジェクトレバー５２の回動を規制する回動規制部１２７と、回動規制部１２７よりも左側壁４ｅ側に形成されイジェクトレバー５２を光ディスク２の外周から離間させるリリース部１２８と、回動規制部１２７及びリリース部１２８を接続する傾斜部１２９とが形成されている。
【００８６】
これによりローディングレバー５１及びイジェクトレバー５２は、光ディスク２の挿入に伴いそれぞれａ１方向、ｂ１方向へ回動され、ディスク径に応じて異なる回動位置においてスライダー５４が背面壁４ｃ側である矢印ｄ１方向へスライドされると、第１，第２のガイドピン６６，６７が第１又は第２のローディングカム１１６，１１７にガイドされ、また第１のガイドピン７６が第１又は第２のイジェクトカム１１８，１１９にガイドされて回動する。
【００８７】
かかるスライダー５４は、大径ディスク２Ａが挿入された場合と、小径ディスク２Ｂが挿入された場合とで、ローディングレバー５１及びイジェクトレバー５２のガイドを行うローディングガイド溝１１４及びイジェクトガイド溝１１５のカムを変える。これによりスライダー５４は、ローディングレバー５１及びイジェクトレバー５２の挙動を、大径ディスク２Ａが挿入された場合と小径ディスク２Ｂが挿入された場合とで異ならせ、いずれの場合も、背面壁４ｃ側にスライドされることで、各ディスク２Ａ，２Ｂをディスク装着部２３まで搬送させ、また前面４ａ側にスライドされることで各ディスク２Ａ，２Ｂをディスク挿脱口１９より所定量だけ排出させることができる。
【００８８】
ローディングレバー５１及びイジェクトレバー５２の挙動は、大径ディスク２Ａ又は小径ディスク２Ｂが挿入された際の両レバー５１，５２の回動位置に応じてスライダー５４の起動タイミングを変えることにより異ならせることができる。スライダー５４の起動タイミングは、大径ディスク２Ａが挿入された場合と小径ディスク２Ｂが挿入された場合とで、ローディングレバー５１及びイジェクトレバー５２が回動することによって押圧される第１のスイッチＳＷ１及び第２のスイッチＳＷ２の押圧状態の違いを識別し、それぞれ異なる位置に回動されたタイミングで駆動モータ５６が駆動されることで異なることとなる。ローディングレバー５１及びイジェクトレバー５２は、回動位置が異なるタイミングでスライダー５４のスライドが開始されることから、各ガイドピン６６，６７，７６は回動位置に応じて第１のローディングカム１１６又は第２のローディングカム１１７、あるいは第１のイジェクトカム１１８又は第２のイジェクトカム１１９に導かれ、各カム形状に応じた挙動をとることになる。
【００８９】
具体的に、スライダー５４を駆動する駆動モータ５６は、第１のスイッチＳＷ１及び第２のスイッチＳＷ２が共に開状態となったときに起動される。
【００９０】
先ず大径ディスク２Ａが挿入された場合を説明すると、図１３に示すように、光ディスク２の挿入を待機している状態において、スライダー５４は前面４ａ側に位置されている。また、ローディングレバー５１は、コイルバネ６３により矢印ａ１方向へ回動付勢されるとともに第１のガイドピン６６がスライダー５４のカム溝１２０に係止されることにより当接部６４が光ディスク２の外周と当接すると矢印ａ２方向へ回動可能な位置に保持されている。またイジェクトレバー５２は、コイルバネ７３により矢印ｂ２方向へ回動付勢されるとともに第１のガイドピン７６がスライダー５４のカム溝１２１に係止されることにより当接部７４が光ディスク２の外周と当接すると矢印ｂ１方向へ回動可能な位置に保持されている。
【００９１】
また光ディスク２の挿入待機状態において、ローディングレバー５１に押圧操作される第１のスイッチＳＷ１は開放されており、イジェクトレバー５２に押圧操作される第２のスイッチＳＷ２はイジェクトレバー５２に当接されることにより閉じられている（ＳＷ１：開、ＳＷ２：閉）。
【００９２】
そして図１４に示すように、大径ディスク２Ａが挿入されると、当設部６４がディスク外周に押されて、ローディングレバー５１は、矢印ｂ２方向へ回動される。これによりローディングレバー５１は、第１のスイッチＳＷ１を押圧して開→閉へスイッチさせる（ＳＷ１：閉、ＳＷ２：閉）。
【００９３】
さらに大径ディスク２Ａが挿入されていくと、イジェクトレバー５２の当接部７４に大径ディスク２Ａの外周が押されて、イジェクトレバー５２が矢印ｂ１方向へ回動される。これにより、図１５に示すように、イジェクトレバー５２は、第２のスイッチＳＷ２の押圧状態を解いて、閉→開へスイッチさせる（ＳＷ１：閉、ＳＷ２：開）。
【００９４】
さらに大径ディスク２Ａが挿入されていくと、図１６に示すように、大径ディスク２Ａの中心孔２ａが当接部６４を通過した後、ローディングレバー５１は、コイルバネ６３の付勢力によって矢印ｂ１方向へ回動されていき、第１のスイッチＳＷ１の押圧状態を解いて、閉→開へスイッチさせる（ＳＷ１：開、ＳＷ２：開）。これにより第１、第２のスイッチＳＷ１、ＳＷ２がとも開状態となるため、駆動モータ５６が起動し、スライダー５４のｄ１方向へのスライドが開始され大径ディスク２Ａが引き込まれていく。
【００９５】
この状態でスライダー５４がｄ１方向にスライドされることにより、ローディングレバー５１は、第１のガイドピン６６に第１のローディングカム１１６の先行カム部１１６ａが摺動し、スライダー５４のスライドに応じて矢印ａ１方向へ回動される。これによりローディングレバー５１は、当接部６４が大径ディスク２Ａの中心孔２ａよりも挿入方向後方部を押圧するため、スライダー５４のスライドに応じて、大径ディスク２Ａを筐体３内に引き込んでいく。
【００９６】
スライダー５４のｄ１方向へのスライドが進むと、図１８に示すように、ローディングレバー５１は、第１のガイドピン６６と先行カム部１１６ａとの摺動が終了するとともに、第２のガイドピン６７が第１のローディングカム１１６の後行カム部１１６ｂに摺動される。ローディングレバー５１は、第２のガイドピン６７が後行カム部１１６ｂの引き込み部１２３に摺動されることにより、矢印ａ１方向へ回動され、大径ディスク２Ａを中心孔２ａがほぼディスク装着部２３上に位置するセンタリング位置まで引き込んだ後、回動規制部１２４にガイドされて回動が規制される。このとき大径ディスク２Ａは、図１９に示すように、後述するベース昇降機構１４０によってターンテーブル２３ａにチャッキングされ、回転可能とされる。さらにスライダー５４がｄ１方向へスライドすることにより、図２１に示すように、ローディングレバー５１は、第２のガイドピン６７が傾斜部１２６を経てリリース部１２５にガイドされるため、矢印ａ２方向へ回動されて当接部６４が大径ディスク２Ａの外周から離間される。
【００９７】
また、イジェクトレバー５２は、ローディングレバー５１よって引き込まれていく大径ディスク２Ａに押圧されて矢印ｂ１方向へ回動されていき、大径ディスク２Ａのセンタリング位置まで回動されると、第１のガイドピン７６が第１のイジェクトカム１１８の回動規制部１２７にガイドされ、回動が規制される（図１９）。このとき大径ディスク２Ａはターンテーブル２３ａにチャッキングされる。さらにスライダー５４がｄ１方向へスライドすることにより、イジェクトレバー５２は、第１のガイドピン７６が傾斜部１２９を経てリリース部１２８にガイドされるため、矢印ｂ２方向へ回動されて当接部７４が大径ディスク２Ａの外周部から離間される（図２１）。
【００９８】
次いで、小径ディスク２Ｂが挿入された場合について説明する。上述したように、光ディスク２の挿入待機状態においては、図２３に示すように、ローディングレバー５１に押圧操作される第１のスイッチＳＷ１は開放されており、イジェクトレバー５２に押圧操作される第２のスイッチＳＷ２はイジェクトレバー５２に当接されることにより閉じられている（ＳＷ１：開、ＳＷ２：閉）。
【００９９】
そして図２５に示すように、小径ディスク２Ｂが挿入されていくと、ローディングレバー５１は、当接部６４がディスク外周に押圧されて、矢印ａ２方向へ回動されるものの、ディスク外径が短いため、回動量は小さく、第１のスイッチＳＷ１を閉じるまでには及ばない。一方、イジェクトレバー５２は、当接部７４がディスク外周に押圧されるため、矢印ｂ１方向へ回動される。これによりイジェクトレバー５２は、第２のスイッチＳＷ２の押圧状態を解いて、閉→開へスイッチさせる（ＳＷ１：開、ＳＷ２：開）。これにより第１、第２のスイッチＳＷ１、ＳＷ２がとも開状態となるため、駆動モータ５６が起動し、スライダー５４のｄ１方向へのスライドが開始され小径ディスク２Ｂが引き込まれていく。
【０１００】
この状態でスライダー５４がｄ１方向へスライドされることにより、ローディングレバー５１は、第１のガイドピン６６に第２のローディングカム１１７の先行カム部１１７ａが摺動し、スライダー５４のスライドに応じて矢印ａ１方向へ回動される。このときローディングレバー５１は、当接部６４が小径ディスク２Ｂの中心孔２ａよりも挿入方向後方部を押圧するため、スライダー５４のスライドに応じて、小径ディスク２Ｂを筐体３内に引き込んでいく。
【０１０１】
スライダー５４のｄ１方向へのスライドが進むと、図２７に示すように、ローディングレバー５１は、第１のガイドピン６６と先行カム部１１７ａとの摺動が終了するとともに、第２のガイドピン６７が第２のローディングカム１１７の後行カム部１１７ｂに摺動される。ローディングレバー５１は、第２のガイドピン６７が後行カム部１１７ｂの引き込み部１２３に摺動されることにより、矢印ａ１方向へ回動され、小径ディスク２Ｂを中心孔２ａがほぼディスク装着部２３上に位置するセンタリングまで引き込んだ後、回動規制部１２４にガイドされて回動が規制される。このとき小径ディスク２Ｂは、図２８に示すように、ベース昇降機構１４０によってターンテーブル２３ａにチャッキングされ、回転可能とされる。さらにスライダー５４がｄ１方向にスライドすることにより、図３０に示すように、ローディングレバー５１は、第２のガイドピン６７が傾斜部１２６を経てリリース部１２５にガイドされるため、矢印ａ２方向へ回動されて当接部６４が小径ディスク２Ｂの外周から離間される。
【０１０２】
またイジェクトレバー５２は、ローディングレバー５１によって引き込まれていく小径ディスク２Ｂに押圧されて矢印ｂ１方向へ回動されていき、小径ディスク２Ｂのセンタリング位置まで回動されると、第１のガイドピン７６が第２のイジェクトカム１１９の回動規制部１２７にガイドされ、回動が規制される（図２８）。このとき小径ディスク２Ｂはターンテーブル２３ａにチャッキングされる。さらにスライダー５４がｄ１方向へスライドすることにより、イジェクトレバー５２は、第１のガイドピン７６が傾斜部１２９を経てリリース部１２９にガイドされるため、矢印ｂ２方向へ回動されて当接部７４が小径ディスク２Ｂの外周部から離間される（図３０）。
【０１０３】
このように、ディスク搬送機構５０は、大径ディスク２Ａが挿入されたときと、小径ディスク２Ｂが挿入されたときで、スライダー５４の起動タイミングとなる第１のスイッチＳＷ１及び第２のスイッチＳＷ２が共に開状態となるローディングレバー５１及びイジェクトレバー５２の回動位置が異なる。これによりディスク搬送機構５０は、ローディングレバー５１及びイジェクトレバー５２を、ローディングガイド溝１１４及びイジェクトガイド溝１１５に形成された別々のカムにガイドすることができ、両レバー５１，５２の挙動を、大径ディスク２Ａが挿入された場合と、小径ディスク２Ｂが挿入された場合とで異ならせることができる。したがってディスク搬送機構５０は、スライダー５４が前面４ａ側から背面壁４ｃ側にスライドされる間に、大小ディスク２Ａ，２Ｂのいずれが挿入された場合にも、センタリング位置まで搬送するとともに、ディスクチャッキングを経て、両レバー５１，５２をディスク外周よりリリースさせることができる。
【０１０４】
ここで、上述したように、ローディングレバー５１には、第１のガイドピン６６と第２のガイドピン６７とを備える。また、ローディングレバー５１をガイドするローディングガイド溝１１４は、第１のローディングカム１１６、第２のローディングカム１１７のいずれも、第１のガイドピン６６をガイドする先行カム部１１６ａ，１１７ａと、第２のガイドピン６７をガイドする後行カム部１１６ｂ，１１７ｂとが形成され、ローディングレバー５１を２つのカム部により分割してガイドしている。
【０１０５】
このようにローディングレバー５１に第１のガイドピン６６と第２のガイドピン６７とを設けると共に、ローディングガイド溝１１４を先行カム部１１６ａ，１１７ａと後行カム部１１６ｂ，１１７ｂとに分割し、各ガイドピン６６，６７をガイドすることにより、一つのカム部によって一つのガイドピンをガイドする構成に比べて、カム部を短くすることができ、スライダー５４の幅を狭小化することができる。
【０１０６】
すなわち、スライダー５４が矢印ｄ１方向及びｄ２方向へスライドすることにより、スライダー５４に形成されたガイド溝によってローディングレバー５１に突設されたガイドピンをガイドし、ローディングレバー５１をａ１方向及びａ２方向へ回動させる際、一つのガイド溝によって一つのガイドピンをガイドしようとすると、ローディングレバー５１の回動領域に亘ってガイドピンをガイド溝に摺動させるために、ガイド溝を長く確保する必要があり、スライダー５４の大型化に繋がる。
【０１０７】
この点、ディスク搬送機構５０においては、ローディングレバー５１を回動させる第１、第２のローディングカム１１６，１１７のいずれも、先行カム部１１６ａ，１１７ａと、後行カム部１１６ｂ，１１７ｂとに分割し、またローディングレバー５１にも第１、第２のガイドピン６６，６７を設けている。これにより、ディスク搬送機構５０は、ローディングレバー５１の回動当初は先行カム部１１６ａ，１１７ａが第１のガイドピン６６をガイドし、回動後半は後行カム部１１６ｂ，１１７ｂが第２のガイドピン６７をガイドすることで、ローディングレバー５１の回動領域の前半と後半とで、スライダー５４のカムを分割させてガイドすることとしている。
【０１０８】
したがって、スライダー５４は、上面に形成される各カム部の長さを短くすることができ、幅を狭小化することができる。これにより、ディスクドライブ装置１は、ボトムケース４内の省スペース化、筐体３の小型化を図ることができる。また、ディスク搬送機構５０は、ローディングレバー５１の回動中に、ローディングガイド溝１１４の第１、第２のローディングカム１１６，１１７や、ローディングレバー５１の第１、第２のガイドピン６６，６７にかかる負荷を分散させることができる。
【０１０９】
なお、スライダー５４には、前面４ａ側にガイドレバー５３をスライドさせるガイド凸部１３０が突設されている。ガイド凸部１３０は、ガイドレバー５３のレバー本体５３ａに形成されたスライドカム溝８１に挿通されることにより、スライダー５４の矢印ｄ１方向あるいはｄ２方向へのスライド動作に応じて、ガイドレバー５３を左右方向となる矢印ｃ１方向あるいはｃ２方向へスライドさせる。これによりガイドレバー５３は、ディスク搬送中はガイドレール５３ｂによって光ディスク２の外周を支持し、ディスクの記録再生中はガイドレール５３ｂを光ディスク２の外周から離間させる。
【０１１０】
次いで、かかるスライダー５４のスライド動作に応じてベースユニットのベースシャーシ２７を昇降させるベース昇降機構１４０について説明する。ベース昇降機構１４０は、ボトムケース４の右側壁４ｂ及び背面壁４ｃの支持片１６，１７に他端側が回動支持されているベースシャーシ２７の一端側を昇降させることにより、ベースシャーシ２７を光ディスク２のチャッキング位置と、記録再生位置と、チャッキング解除位置に亘って昇降させるものである。
【０１１１】
かかるベース昇降機構１４０は、図１１に示すように、スライダー５４に側面に形成され、ベースシャーシ２７に突設された第１のカムピン３０をガイドする昇降カム１４１と、スライダー５４と連動することによりベースシャーシ２７に嵌合された第２のカムピン３１を昇降させる昇降レバー１４２と、スライダー５４の側面に形成され、昇降レバー１４２の係合ピン１５１をガイドして昇降操作するレバーガイドカム１５０とを備える。
【０１１２】
昇降カム１４１は、スライダー５４の右側面に形成され、第１のカムピン３０と係合されることにより、スライダー５４のスライドに応じて第１のカムピン３０を昇降操作するものである。この昇降カム１４１は、第１のカムピン３０を下降させることによりベースシャーシ２７をチャッキング解除位置に保持する下降部１４５と、第１のカムピン３０を上昇させることによりベースシャーシ２７をチャッキング位置に持ち上げる上昇部１４６と、第１のカムピン３０を下降部１４５と上昇部１４６との間の高さまで下降させることによりベースシャーシ２７を記録再生位置に保持する中間部１４７とを有し、スライダー５４の長手方向に沿って連続して形成されている。
【０１１３】
下降部１４５は、スライダー５４の底面よりも若干上方に張り出すように形成され、下側に第１のカムピン３０が挿通可能とされている。下降部１４５は、下側に第１のカムピン３０が挿通されることにより、ベースシャーシ２７をチャッキング解除位置に降下させることができる。また下降部１４５は、スライダー５４の長手方向に沿って所定の長さを有しており、スライダー５４がスライドされても、光ディスク２がセンタリング位置に搬送されるまでの間は、第１のカムピン３０を下降させておく。また下降部１４５は、スライダー５４の前面４ａ側にかけて上面側に向かう傾斜面１４５ａが形成され、上昇部１４６とともに第１のカムピン３０を上昇させる。
【０１１４】
上昇部１４６は、下降部１４５と連続して形成され、スライダー５４の前面４ａ側に向かって、底面から上面側に傾斜する第１の傾斜面１４８と、第１の傾斜面１４８の頂部から底面側に傾斜する第２の傾斜面１４９とを有する。第１の傾斜面１４８は、下降部１４５の傾斜面と所定のクリアランスを隔てて略平行に形成され、下降部１４５を摺動してきた第１のカムピン３０を下降部１４５の傾斜面１４５ａとともに支持して頂部までガイドする。第１の傾斜面１４８は、第１のカムピン３０を頂部までガイドすることにより、ベースシャーシ２７を光ディスク２のチャッキング位置に上昇させることができる。また第２の傾斜面１４９は、第１の傾斜面１４８の頂部から中間部１４７にかけて形成され、第１のカムピン３０を頂部と中間部１４７との間に亘ってガイドするものである。
【０１１５】
中間部１４７は、第２の傾斜面１４９と連続して形成され、スライダー５４の底面と上昇部１４６の頂部との間の高さに形成されている。また中間部１４７は、スライダー５４の前面４ａ側に向かって所定の長さを有し、ローディングレバー５１及びイジェクトレバー５２の各当接部６４，７４やガイドレバー５３のガイドレール５３ｂが光ディスク２の外周から離間するまでの間、第１のカムピン３０を支持した状態で、スライダー５４のスライドを可能とする。中間部１４７は、第１のカムピン３０を支持することにより、ベースシャーシ２７を光ディスク２の記録再生位置に保持することができる。
【０１１６】
ベースシャーシ２７に嵌合された第２のカムピン３１を昇降させる昇降レバー１４２は、長手方法の略中間部をボトムケース４の底面４ｄに立設された支持壁１４３に回動自在に支持される支持部１４２ａを有し、この支持部１４２ａを境に、長手方向の一端にベースシャーシ２７の嵌合凹部３８と勘合される第２のカムピン３１が挿通支持され、他端にスライダー５４の側面に形成されたレバーガイドカム１５０と係合される係合ピン１５１が形成されている。昇降レバー１４２は、スライダー５４がスライドされることにより、レバーガイドカム１５０に係合されている係合ピン１５１が昇降されると、支持部１４２ａを支点に、第２のカムピン３１が挿通されている一端側が昇降される。
【０１１７】
なお、昇降レバー１４２は、嵌合凹部を昇降レバー１４２側に設け、ベースシャーシ２７より突設されたカムピンと嵌合されるようにしてもよい。この場合、昇降レバー１４２の一端側に形成された嵌合凹部は、トップカバー５側が凹設されスライダー５４によって上昇されるとベースシャーシ２７より突設されているカムピンを上昇させる。
【０１１８】
ここで係合ピン１５１が係合されるレバーガイドカム１５０について説明する。このレバーガイドカム１５０は、スライダー５４の昇降カム１４１よりもさらに前面４ａ側に形成され、係合ピン１５１が上昇可能な切欠き部１５２と、切欠き部１５２と連続して形成され係合ピン１５１を下降させる下降部１５３と、係合ピン１５１を切欠き部１５２と下降部１５３との中間に支持する中間部１５４とを有する。
【０１１９】
切り欠き部１５２は、スライダー５４の右側面に形成され、係合ピン１５１の上方を開放して昇降レバー１４２の他端を上昇可能とする。なお図３に示すように、係合ピン１５１は、上方に上記ガイドプレート５５の支持アーム１０１が位置され、切り欠き部１５２が位置するときにも、この支持アーム１０１に当接することによりさらなる上昇が規制され、下降部１５３と摺接可能とされている。
【０１２０】
下降部１５３は、切り欠き部１５２よりも右側方に張り出し形成されることにより係合ピン１５１と摺接可能とされている。この下降部１５３は、スライダー５４の前面４ａ側に向かって下方に傾斜する第１の傾斜面１５５と、第１の傾斜面１５５の頂部から中間部１５４に向かって傾斜する第２の傾斜面１５６とを有する。第１の傾斜面１５５は、係合ピン１５１が摺接されることにより頂部までガイドし、昇降レバー１４２の他端を下降させる。これにより昇降レバー１４２は、第２のカムピン３１が設けられている一端側が上昇されベースシャーシ２７をチャッキング位置に上昇させることができる。また第２の傾斜面１５６は、第１の傾斜面１５５の頂部から中間部１５４にかけて形成され、係合ピン１５１を頂部と中間部１５４との間に亘ってガイドするものである。
【０１２１】
中間部１５４は、第２の傾斜面１５６と連続して形成され、スライダー５４の上面と頂部との間の高さに形成されている。また中間部１５４は、スライダー５４の前面４ａ側に向かって所定の長さを有し、ローディングレバー５１及びイジェクトレバー５２の各当接部６４，７４やガイドレバー５３のガイドレール５３ｂが光ディスク２の外周から離間するまでの間、係合ピン１５１を支持した状態で、スライダー５４のスライドを可能とする。中間部１５４は、係合ピン１５１を支持することにより、ベースシャーシ２７を光ディスク２の記録再生位置に保持する高さに昇降レバー１４２を回動することができる。
【０１２２】
かかるレバーガイドカム１５０の切欠き部１５２、下降部１５３及び中間部１５４は、それぞれ上述した昇降カム１４１の下降部１４５、上昇部１４６及び中間部１４７と対をなし、それぞれ第１のカムピン３０あるいは係合ピン１５１の昇降を同期して行う。すなわち図１８及び図２７に示すように、ベース昇降機構１４０は、ベースシャーシ２７の第１のカムピン３０が昇降カム１４１の下降部１４５に摺接されているとき、係合ピン１５１がレバーガイドカム１５０の切り欠き部１５２に位置する。したがってベース昇降機構１４０は、下降部１４５によって第１のカムピン３０を下降させるとともに、切欠き部１５２に係合ピン１５１が位置されるため、昇降レバー１４２の一端を下降させる。これによりベース昇降機構１４０は、ベースシャーシ２７をチャッキング解除位置に下降させる。
【０１２３】
同様に、ベース昇降機構１４０は、第１のカムピン３０が上昇部１４６を摺動するとき、係合ピン１５１が下降部１５３を摺動し、図２０及び図２９に示すように、上昇部１４６によって第１のカムピン３０を頂部に位置させたとき、下降部１５３によって係合ピン１５１を頂部に位置させる。これによりベース昇降機構１４０は、ベースシャーシ２７をチャッキング位置に上昇させる。
【０１２４】
また同様に、図２１及び図３０に示すように、ベース昇降機構１４０は、第１のカムピン３０が中間部１４７に支持されるとき、係合ピン１５１も中間部１５４に支持される。これによりベース昇降機構１４０は、ベースシャーシ２７を記録再生位置に保持することができる。
【０１２５】
以上のようにベース昇降機構１４０は、スライダー５４のスライド動作に応じて第１のカムピン３０を昇降させるとともに、昇降レバー１４２を介して第２のカムピン３１を昇降させるものであり、スライダーに連動してベースシャーシに突設されたカムピンを昇降させるサブスライダーを用いていない。サブスライダーは、一般にスライダー５４とレバー部材を介して連結され、このレバー部材がスライダー上面に形成されたカム溝にガイドされることにより回動されてスライド操作される。そしてサブスライダーは、スライダー５４に形成された昇降カム１４１と同様のカムが形成され、スライド操作されるとカム形状によりベースシャーシのカムピンを昇降させる。
【０１２６】
ここで、ディスクドライブ装置１は、スライダー５４のスライド動作に応じて光ディスク２の搬送やベースシャーシ２７の昇降を行うものであり、スライダー５４の前面４ａ側から背面壁４ｃ側への限られた搬送ストローク内で、ローディングレバー５１、イジェクトレバー５２及びガイドレバー５３を回動させて光ディスク２を搬送し、次いでベースシャーシ２７をチャッキング解除位置からチャッキング位置を経て記録再生位置まで昇降操作することにより光ディスク２をターンテーブル２３ａにチャッキングさせ、その後各レバー５１，５２，５３を光ディスク２の外周からリリースさせる作業を行わせるものである。したがって、スライダー５４は、各作業に要するストロークはなるべく短くして、搬送ストロークを効率よく使用する必要がある。
【０１２７】
一方で、サブスライダーを用いたベース昇降機構は、サブスライダーをスライドさせるレバー部材を回動させるために要するスライダーのストロークが長くなってしまう。これは、レバー部材を回動させるカム溝の角度をスライダーの搬送方向に対して大きく取った場合、スライダーのストロークは短くてもレバー部材の回動量が増えてサブスライダーのストロークを大きく取ることができるが、レバー部材を回動させるために大きなトルクが必要となり、駆動モータ５６のトルク不足やスライダーの搬送不良、レバー部材などの強度などの面で問題がでるためである。またスライダー５４の昇降カム１４１と同様のカムを備えたサブスライダーをスライド自在に配置するため、ボトムケース４内の省スペース化を図ることも困難となる。さらに、レバー部材は、スライダーの上面に形成されたカム溝に係合されるため、スライダー上に重畳して配置されることから、筐体３の薄型化を阻害してしまう。
【０１２８】
この点、本発明が適用されたベース昇降機構１４０は、昇降レバー１４２をボトムケース４より立設された支持壁１４３に回動自在に支持させ、その長手方向の一端にベースシャーシ２７に嵌合される第２のカムピン３１を取り付け、他端に係合ピン１５１を設ける。そしてベース昇降機構１４０は、スライダー５４のスライド動作に応じて係合ピン１５１を昇降操作することにより、支持部１４２ａを支点に梃子の原理で第２のカムピン３１を昇降させている。
【０１２９】
このようにベース昇降機構１４０は、サブスライダー及びスライダーと連結されサブスライダーをスライドさせるレバー部材を有しないため、ボトムケース４の省スペース化が図られ、筐体３の小型化、薄型化も容易となる。
【０１３０】
またベース昇降機構１４０は、昇降レバー１４２を梃子の原理によって回動させるものであるため、支持部１４２ａを支点とした係合ピン１５１側の距離と、第２のカムピン３１側の距離を調整することで、チャッキング解除位置からチャッキング位置までに要するスライダー５４の搬送ストロークや、昇降時に係合ピン１５１やレバーガイドカム１５０にかかる負荷を調整することができ、サブスライダーを用いる場合に比して、ベースシャーシ２７の昇降に要するスライダー５４のストロークを短く調整すると共に負荷調整を行うことが容易となる。
【０１３１】
なお、スライダー５４の短ストロークでベースシャーシ２７の昇降操作を終えるためには、例えば昇降カム１４１の上昇部１４６の第１の傾斜面１４８及びレバーガイドカム１５０の下降部１５３の第１の傾斜面１５５を急峻に形成したり、あるいは昇降レバー１４２の支持部１４２ａから係合ピン１５１までの距離を短くする等の方法もある。しかし、各第１の傾斜面１４８，１５５を急峻に形成すると、第１のカムピン３０及び係合ピン１５１を昇降させる際に、スライダー５４や両ピン３０，１５１にかかる負荷が増大し、駆動モータ５６のトルク不足や昇降操作不良、構成部品の耐久性などといった面で問題が残る。
【０１３２】
そこで、ベース昇降機構１４０は、スライダー５４の限られたストローク内で、ベースシャーシ２７の昇降に要する分をなるべく短くすると共に、スライダー５４やベース昇降機構１４０にかかる負荷を調整する。このとき、ベース昇降機構１４０は、昇降レバー１４２の支持部１４２ａを境にして係合ピン１５１側の距離と、第２のカムピン３１側の距離を調整することで、チャッキング解除位置からチャッキング位置までに要するスライダー５４の搬送ストロークや、昇降時に係合ピン１５１やレバーガイドカム１５０にかかる負荷を調整することができる。
【０１３３】
また、ベース昇降機構１４０は、昇降レバー１４２の支点の位置を調整することで、昇降カム１４１による第１のカムピン３０を上昇部１４６の頂部にガイドするタイミングと、昇降レバー１４２による係合ピン１５１を下降部１５３の頂部にガイドするタイミングとを合わせることできる。これにより、ベース昇降機構１４０は、第１のカムピン３０と第２のカムピン３１を同時に持ち上げ、ターンテーブル２３ａを光ディスク２の中心孔２ａに圧入させることができる。なお、第１のカムピン３０と第２のカムピン３１との上昇タイミングをあえてずらすことで、ターンテーブル２３ａを光ディスク２の中心孔２ａに圧入する場合にも、昇降レバー１４２の支点位置を変えることで、第１、第２のカムピン３０，３１の上昇タイミングを容易にずらすことができる。
【０１３４】
ところで、かかるベース昇降機構１４０によって昇降操作されるベースシャーシ２７は、上述したように、ボトムケース４の右側壁４ｂに形成された支持片１６、及び背面壁４ｃに形成された支持片１７に、回動支持ピン２８，２９が回動自在に支持されることによってボトムケース４に支持されている。そしてベースシャーシ２７は、回動支持ピン２８と回動支持ピン２９とが、両ピン２８，２９を結ぶ線が、センタリング位置に搬送された大径ディスク２Ａと略接する位置に形成されている。
【０１３５】
すなわち、ベースシャーシ２７は、回動支持ピン２８，２９がベースシャーシ２７の回動支点となるため、回動支持ピン２８，２９を境に、ターンテーブル２３ａが形成された長手方向の一端側が下降するチャッキング解除位置に回動されると、他端側が上昇する。ここで、ベースシャーシ２７は、チャッキング解除位置に下降された状態で光ディスク２が搬送されるため、チャッキング解除位置に下降されているとき、光ディスク２の搬送領域上には障害物があってはならない。したがって、ベースシャーシ２７は、回動支持ピン２８，２９を結ぶ線が、最もボトムケース４の背面壁４ｃ側まで搬送される大径ディスク２Ａの投影面外に位置するように形成し、一端側がチャッキング解除位置に下降されたときに、回動支持ピン２８，２９を境とした他端側が光ディスク２の搬送領域上に上昇することを防止している。
【０１３６】
また、ベースシャーシ２７は、一端側に形成された第１のカムピン３０及び嵌合凹部３８に嵌合される第２のカムピン３１がベース昇降機構１４０によって昇降されることにより、回動支持ピン２８，２９を支点に昇降操作されるものである。したがって、ベースシャーシ２７は、回動支点となる回動支持ピン２８，２９をできるだけ一端側に近接させることで、昇降に要する負荷、及びターンテーブル２３ａと光ディスク２とのチャッキングに要する負荷を軽減することができる。そこで、ベースシャーシ２７は、回動支持ピン２８，２９を、両ピン２８，２９を結ぶ線がセンタリング位置に搬送された大径ディスク２Ａの外周と略接する位置に形成し、これにより、回動支点をディスク搬送領域外で、かつ最も一端側に近接した位置に設けることができ、チャッキング解除位置からチャッキング位置まで上昇させるために要する負荷、及びターンテーブル２３ａと光ディスク２とのチャッキングに要する負荷を軽減している。
【０１３７】
かかるディスクドライブ装置１は、ベースシャーシ２７が長手方向をボトムケース４の略中央から右側壁４ｂと背面壁４ｃ側とからなる右奥角部にかけて配設されることから、ディスク搬送領域にベースシャーシ２７に支持されたピックアップベース３４等の構成部品が存在しない。したがって搬送中の光ディスク２とベースシャーシ２７の構成部品との衝突を回避するためのクリアランスを設けたり、傷防止用のコーティングの塗布あるいは不織布などの緩衝材を貼着する必要がなく筐体３の薄型化を図ることができる。
【０１３８】
またディスクドライブ装置１は、ベースシャーシ２７がボトムケース４の右奥角部にかけて形成されていることから、前面４ａ側に回路基板４０の配置スペースを確保することができる。回路基板４０には、図１２に示すように、右側壁４ｂ側に面して外部機器との接続用のインタフェース用コネクタ４５が形成さてれもよい。この場合、右側壁４ｂには、コネクタを外部に臨ませるコネクタ用開口部が形成される。
【０１３９】
なお、背面壁４ｃにコネクタ用開口部を形成し、インタフェース用コネクタ４５を背面壁４ｃ側に配設する場合には、図１２に示すように、インタフェース用コネクタ４５と回路基板４０の回路とをフレキシブル配線板４６によって接続するとともに、当該フレキシブル配線板４６をベースシャーシ２７の下部に配設するようにする。
【０１４０】
また回路基板４０が前面４ａ側に配設されることから、上述したガイドプレート５５及びガイドレバー５３は、回路基板４０上に重畳して設けられる。この場合にも、ガイドプレート５５やガイドレバー５３は平板状に形成されているため、筐体３の薄型化を阻害することはない。またガイドレバー５３は、回路基板４０上に配設されていることから、ローディングレバー５１やイジェクトレバー５２のように回動されることなく、左右方向にスライド自在とされている。
【０１４１】
また回路基板４０は、ボトムケース４の底面４ｄにおいて、左側壁４ｅ側には配設されず、左側壁４ｅ側には、ローディングレバー５１、イジェクトレバー５２及びスライダー５４が配設されている。
【０１４２】
なお、ベース昇降機構１４０は、スライダー５４に昇降カム１４１及びレバーガイドカム１５０を形成し、ベースシャーシ２７の第１のカムピン３０及び昇降レバー１４２の係合ピン１５１をガイドする構成としたが、反対に、スライダー５４に第１のカムピン３０に相当するカムピンや係合ピン１５１に相当する係合ピンを突設し、ベースシャーシ２７にカムピンをガイドする昇降カム１４１に相当するカム溝を形成し、昇降レバー１４２に係合ピンをガイドするレバーガイドカム１５０に相当するカム溝を形成してもよい。かかる構成によっても、スライダー５４が矢印ｄ１方向又はｄ２方向へスライドされることにより、ベースシャーシ２７を昇降操作することができる。
【０１４３】
次いで、以上のように構成されるディスクドライブ装置１の光ディスク２の挿排出工程について説明する。先ず、大径ディスク２Ａの挿入工程について説明する。ディスクドライブ装置１は、光ディスク２の挿入待機状態においては、スライダー５４がボトムケース４の前面４ａ側にスライドされている。
【０１４４】
このとき、ローディングレバー５１は、図１３に示すように、第１のガイドピン６６がスライダー５４のカム溝１２０に係止されることにより、コイルバネ６３の付勢力に対抗して矢印ａ２方向へ回動され、当接部６４がディスク挿脱口１９近傍に位置されている。また、イジェクトレバー５２は、コイルバネ７３に付勢されることにより矢印ｂ２方向へ回動されるとともに、第１のガイドピン７６がスライダー５４に形成されたカム溝１２１に係止されている。さらに、ガイドレバー５３は、コイルバネ９０に付勢されることにより矢印ｃ１方向へスライドされ、回動ガイド部８９にガイドピン１０２が挿通されている。
【０１４５】
ローディングレバー５１及びイジェクトレバー５２が挿入待機位置に回動されているとき、ローディングレバー５１に押圧操作される第１のスイッチＳＷ１は開放されており、イジェクトレバー５２に押圧操作される第２のスイッチＳＷ２はイジェクトレバー５２に当接されることにより閉じられている（ＳＷ１：開、ＳＷ２：閉）。またスライダー５４が前面４ａ側にスライドされているとき、回路基板４０に実装されている第３〜第５のスイッチＳＷ３〜ＳＷ５は、最も前面４ａ側に位置する第３のスイッチＳＷ３のみが閉じられ、他は開放されている。
【０１４６】
図１４に示すように、ユーザにより大径ディスク２Ａがディスク挿脱口１９より挿入されると、ローディングレバー５１は、当接部６４がディスク外周に押圧されて、コイルバネ６３の付勢力に対抗しながら矢印ａ２方向へ回動される。またガイドレバー５３は、ガイドレール５３ｂがディスク外周に押圧されて、背面壁４ｃ側へ揺動し、ガイドピン１０２と回動ガイド部８９との係合が解除されると共に、コイルバネ９０の付勢力に対抗しながら矢印ｃ２方向へスライドされる。これによりガイドレバー５３は、横断カム部８８をスライダー５４に形成されたガイド凸部１３０が第２のスライドカム部８７側から第１のスライドカム部８６側へ移動していく。
【０１４７】
ローディングレバー５１は、大径ディスク２Ａが挿入され矢印ａ２方向へ回動されることにより、第１のスイッチＳＷ１を押圧して開→閉へスイッチさせる（ＳＷ１：閉、ＳＷ２：閉）。また、ローディングレバー５１は、矢印ａ２方向へ回動されることにより、第１のガイドピン６６が、ガイド溝１２０から先行カム部１１６ａ側に回動されていく。
【０１４８】
さらに大径ディスク２Ａが挿入されていくと、イジェクトレバー５２の当接部７４に大径ディスク２Ａの外周が押されて、イジェクトレバー５２が矢印ｂ１方向へ回動される。これにより、図１５に示すように、イジェクトレバー５２は、第２のスイッチＳＷ２の押圧状態を解いて、閉→開へスイッチさせる（ＳＷ１：閉、ＳＷ２：開）。
【０１４９】
さらに大径ディスク２Ａが挿入されていくと、図１６に示すように、大径ディスク２Ａの中心孔２ａが当接部６４を通過した後、ローディングレバー５１は、コイルバネ６３の付勢力によって矢印ｂ１方向へ回動されていき、第１のスイッチＳＷ１の押圧状態を解いて、閉→開へスイッチさせる（ＳＷ１：開、ＳＷ２：開）。これにより第１、第２のスイッチＳＷ１、ＳＷ２がとも開状態となるため、駆動モータ５６が起動し、スライダー５４のｄ１方向へのスライドが開始される。
【０１５０】
この状態でスライダー５４がｄ１方向にスライドされることにより、図１７に示すように、ローディングレバー５１は、第１のガイドピン６６が第１のローディングカム１１６の先行カム部１１６ａにガイドされ、矢印ａ１方向へ回動される。これによりローディングレバー５１は、当接部６４が大径ディスク２Ａの中心孔２ａよりも挿入方向後方部を押圧するため、スライダー５４のスライドに応じて、大径ディスク２Ａを筐体３内に引き込んでいく。また、イジェクトレバー５２は、大径ディスク２Ａに押圧されてさらに矢印ｂ１方向へ回動されることにより、第１のガイドピン７６がイジェクトガイド溝１１５の第１のイジェクトカム１１８側へ回動される。
【０１５１】
また、スライダー５４がｄ１方向にスライドされることにより、図１７に示すように、ガイドレバー５３は、スライダー５４に形成されたガイド凸部１３０が第１のスライドカム部８６をスライドするため、この第１のスライドカム部８６の形状に応じてスライドする。
【０１５２】
スライダー５４のｄ１方向へのスライドが進むと、図１８に示すように、ローディングレバー５１は、第１のガイドピン６６と先行カム部１１６ａとの摺動が終了するとともに、第２のガイドピン６７が第１のローディングカム１１６の後行カム部１１６ｂにガイドされる。そして、ローディングレバー５１は、第２のガイドピン６７が後行カム部１１６ｂの引き込み部１２３に摺動されることにより、矢印ａ１方向へ回動され、大径ディスク２Ａを中心孔２ａがほぼディスク装着部２３上に位置するセンタリング位置まで引き込んだ後、図１９に示すように、回動規制部１２４にガイドされて回動が規制される。
【０１５３】
このとき、イジェクトレバー５２は、第１のガイドピン７６が第１のイジェクトカム１１８の回動規制部１２７にガイドされて回動が規制され、またガイドレバー５３は、スライダー５４のガイド凸部１３０が第１のスライドカム部８６のガイド部８６ａにガイドされてスライドが規制されている。このようにディスク搬送機構５０は、大径ディスク２Ａの中心孔２ａがディスク装着部２３上に位置するセンタリング位置まで引き込んだ状態で、ローディングレバー５１及びイジェクトレバー５２の回動、並びにガイドレバー５３のスライドが規制され、大径ディスク２Ａの位置決めを図る。
【０１５４】
大径ディスク２Ａがセンタリング位置に位置決めされた状態で、さらにスライダー５４がｄ１方向へスライドされると、図２０に示すように、それまで昇降カム１４０の下降部１４５に摺動されていた第１のカムピン３０が上昇部１４６にガイドされ、またレバーガイドカム１５０の切り欠き部１５２に位置していた係合ピン１５１が下降部１５３にガイドされ、それぞれ頂部に位置される。
【０１５５】
これにより、ベースシャーシ２７は、第１のカムピン３０及び昇降レバー１４２に設けられた第２のカムピンと嵌合されている嵌合凹部３８が上昇されるため、チャッキング解除位置からチャッキング位置へ上昇される。チャッキング位置では、ターンテーブル２３ａとトップカバー５の当接突部８とによって大径ディスク２Ａが挟持されることにより、大径ディスク２Ａの中心孔２ａにターンテーブル２３ａが圧入され、大径ディスク２Ａがチャッキングされる。
【０１５６】
このとき、ベースシャーシ２７は、昇降の支点となる回動支持ピン２８，２９を結ぶ線が、大径ディスク２Ａの投影面外に位置するように形成し、一端側がチャッキング解除位置に下降されたときに、回動支持ピン２８，２９を境とした他端側が大径ディスク２Ａの搬送領域上に上昇することがない。したがって、大径ディスク２Ａは、搬送領域に障害物がないため、スムーズなローディングを行うことができる。またベースシャーシ２７は、回動支点となる回動支持ピン２８，２９をできるだけ一端側に近接させることで、力点となるスライダー５４と支点となる回動支持ピン２８，２９とが近接され、昇降に要する負荷を軽減することができる。
【０１５７】
その後、さらにスライダー５４が矢印ｄ１方向へスライドされると、第１のカムピン３０及び昇降レバー１４２の係合ピン１５１がそれぞれ中間部１４７，１５４に支持され、ベースシャーシ２７が大径ディスク２Ａの記録再生位置に下降される。
【０１５８】
さらにスライダー５４が矢印ｄ１方向にスライドされると、図２１に示すように、ローディングレバー５１は、第２のガイドピン６７が傾斜部１２６を経てリリース部１２５にガイドされるため、センタリング位置からさらに矢印ａ２方向へ回動されて当接部６４が大径ディスク２Ａの外周から離間される。また、イジェクトレバー５２は、第１のガイドピン７６が傾斜部１２９を経てリリース部１２８にガイドされるため、センタリング位置からさらに矢印ｂ２方向へ回動されて当接部７４が大径ディスク２Ａの外周部から離間される。さらに、ガイドレバー５３は、スライダー５４のガイド凸部１３０が傾斜部８６ｂを経てリリース部８６ｃへスライドするため、センタリング位置からさらに矢印ｃ２方向へスライドされてガイドレール５３ｂが大径ディスク２Ａの外周部から離間される。
【０１５９】
大径ディスク２Ａが各レバーからリリースされる位置までスライダー５４がスライドされると、第５のスイッチＳＷ５がスライダー５４に閉じられ、駆動モータ５６が停止される。その後、ディスクドライブ装置１は、大径ディスク２Ａに対する情報信号の記録又は再生が行われる。
【０１６０】
次いで、このディスク搬送機構５０による大径ディスク２Ａの排出工程について説明する。大径ディスク２Ａは、挿入工程と逆の工程を経ることにより排出されることとなる。大径ディスク２Ａが筐体３内に搬送された状態において、スライダー５４は、ボトムケース４の背面壁４ｃ側にスライドされ、停止されている。
【０１６１】
大径ディスク２Ａに対する情報信号の記録あるいは再生動作が終了し、ディスクの排出が指示されると、駆動モータ５６が逆転駆動され、スライダー５４がボトムケース４の背面壁４ｃから前面４ａ側へ、矢印ｄ２方向へスライドされる。
【０１６２】
スライダー５４が矢印ｄ２方向へスライドされると、イジェクトレバー５２は、第１のガイドピン７６が第１のイジェクトカム１１８をリリース部１２８から回動規制部１２７を通過しすることにより、当接部７４が大径ディスク２Ａの外周部を支持するとともに、矢印ｂ２方向への回動が可能となる。また、ローディングレバー５１は、第２のガイドピン６７が後行カム部１１６ｂをリリース部１２５から回動規制部１２４を経て引き込み部１２３に至ることにより、当設部６４が大径ディスク２Ａの外周部を支持するとともに、矢印ａ２方向への回動が可能となる。さらにガイドレバー５３は、スライダー５４のガイド凸部１３０が第１のスライドカム部８６をリリース部８６ｃからガイド部８６ａを経て横断カム部８８に移動することにより、ガイドレール５３ｂが大径ディスク２Ａの外周部を支持するとともに、大径ディスク２Ａの排出に付随して、コイルバネ９０の付勢力によって矢印ｃ１方向へのスライドが可能となる。
【０１６３】
また図１９に示すように、各レバーが大径ディスク２Ａの外周部を支持するタイミングで、スライダー５４が矢印ｄ２方向へスライドされることにより、第１のカムピン３０が昇降カム１４１の中間部１４７から上昇部１４６を経て下降部１４５にガイドされ、また係合ピン１５１がレバーガイドカム１５０の中間部１５４から下降部１５３を経て切り欠き部１５２にガイドされる。これによりベースシャーシ２７は、記録再生位置からチャッキング解除位置へ下降されるため、ターンテーブル２３ａにチャッキングされていた大径ディスク２Ａがボトムケース４の底面４ｄより立設されているチャッキング解除ピン３９によって突き上げられ、ターンテーブル２３ａとの係合が解除されて排出可能となる。またベースシャーシ２７は、ターンテーブル２３ａが形成された一端側がチャッキング解除位置まで下降することにより、ディスクの搬送領域から退避されるため、ディスク排出の障害とはならない。
【０１６４】
大径ディスク２Ａとターンテーブル２３ａとの係合が解除された後、第１のガイドピン７６が回動規制部１２７を通過することにより、イジェクトレバー５２は、コイルバネ７３の付勢力によって矢印ｂ２方向へ回動付勢されるため、大径ディスク２Ａを外部へ押し出していく。そして、イジェクトレバー５２は、スライダー５４の前面４ａ側へのスライドが停止すると、第１のガイドピン７６がカム溝１２１に係止され、矢印ｂ２方向への回動が規制される。
【０１６５】
また、ローディングレバー５１は、第２のガイドピン６７が後行カム部１１６ｂにガイドされ、また第１のガイドピン６６が先行カム部１１６ａにガイドされることにより、スライダー５４のスライドに応じて矢印ａ２方向へ回動される。したがって、大径ディスク２Ａは、スライダー５４のスライドに応じてローディングレバー５１が矢印ａ２方向へ回動されるにしたがって、イジェクトレバー５２の付勢力によって排出されていく。このとき、ローディングレバー５１は、大径ディスク２Ａを引き込む矢印ａ１方向へ付勢されていることから、イジェクトレバー５２に押圧されている大径ディスク２Ａの排出方向の前面側を支持しながら矢印ａ２方向へ回動される。したがって、大径ディスク２Ａは、イジェクトレバー５２によって押し出されると共に、ローディングレバー５１によって排出方向の前面側を支持されることとなるため、ディスク挿脱口１９からの急な飛び出しが防止されている。
【０１６６】
スライダー５４の前面４ａ側へのスライドが停止すると、第１のガイドピン６６の先行カム部１１６ａによるガイドが終わるため、ローディングレバー５１は、矢印ａ１方向及びａ２方向へ回動可能となる。このとき、ローディングレバー５１は、コイルバネ６３の付勢力によって矢印ａ１方向へ回動付勢されているが、コイルバネ６３の付勢力よりコイルバネ７３の付勢力が勝るため、イジェクトレバー５２に押圧された大径ディスク２Ａとともに排出方向となるａ２方向へ回動される。その後、ローディングレバー５１は、当接部６４を大径ディスク２Ａの中心孔２ａが通過すると、当接部６４が大径ディスク２Ａの排出方向背面側と当接するため、矢印ａ１方向へ回動付勢されることにより大径ディスク２Ａを排出方向へ押圧する。
【０１６７】
同様に、ガイドレバー５３は、スライダー５４のガイド凸部１３０が第１のスライドカム部８６にガイドされるため、コイルバネ９０の付勢力による矢印ｃ１方向へのスライドが規制されている。したがってガイドレバー５３は、ガイドレール５３ｂによる引き込み方向あるいは排出方向への付勢力を大径ディスク２Ａに作用させない。
【０１６８】
そして、スライダー５４の前面４ａ側へのスライドが停止すると、ガイド凸部１３０が第１のスライドカム部８６より横断カム部８８に移動されるため、ガイドレバー５３は、矢印ｃ１方向及びｃ２方向へ回動可能となる。このとき、ガイドレバー５３は、コイルバネ９０の付勢力によってｃ１方向へ回動付勢されるとともに、ガイドレール５３ｂの引き込みガイド部９４が大径ディスク２Ａと当接されているため、大径ディスク２Ａを筐体３内へ引き込む方向に付勢しているが、コイルバネ９０の付勢力よりコイルバネ７３の付勢力が勝るため、イジェクトレバー５２に押圧された大径ディスク２Ａによって矢印ｃ２方向へスライドされる。その後、ガイドレバー５３は、ガイドレール５３ｂの排出ガイド部９５が大径ディスク２Ａの排出方向背面側と当接されると、矢印ｃ１方向へ付勢されることにより大径ディスク２Ａを排出方向へ押圧する。
【０１６９】
このように、図２２に示すように、大径ディスク２Ａは、イジェクトレバー５２の第１のガイドピン７６がスライダー５４のカム溝１２１に係止されｂ１方向への回動が停止された後は、ローディングレバー５１及びガイドレバー５３に押圧されることにより、中心孔２ａがディスク挿脱口１９より臨まされる排出位置まで押し出され、筐体３からの取り出しが容易となる。ローディングレバー５１は、第１のガイドピン６６がスライダー５４のカム溝１２０に係止されることにより矢印ｂ１方向への回動が停止される。またガイドレバー５３は、ガイドピン１０２が第１のガイド溝８４の回動ガイド部８９及び、第２のガイド溝８４の右端部に当接することによりスライドが停止される。
【０１７０】
なお、スライダー５４は、前面４ａ側までスライドされると、第３のスイッチＳＷ３を押圧し、これによりスライダー５４が初期位置までスライドされたことが検出され、駆動モータ５６によるスライドが停止される。
【０１７１】
次いで、小径ディスク２Ｂの挿入工程について説明する。図２３に示すように、ディスクドライブ装置１は、小径ディスク２Ｂの挿入待機状態においても、上記大径ディスク２Ａの挿入待機状態と同様に、スライダー５４がボトムケース４の前面４ａ側にスライドされ、またローディングレバー５１、イジェクトレバー５２及びガイドレバー５３が所定位置に保持され、また第１のスイッチＳＷ１は開放、第２のスイッチＳＷ２は閉じられている（ＳＷ１：開、ＳＷ２：閉）。
【０１７２】
図２４に示すように、ユーザにより小径ディスク２Ｂがディスク挿脱口１９より挿入されると、ローディングレバー５１は、当接部６４がディスク外周に押圧されて、コイルバネ６３の付勢力に対抗しながら矢印ａ２方向へ回動されるが、大径ディスク２Ａの場合と異なり、最もａ２方向へ回動されたときにも第１のスイッチＳＷ１を押圧することがない。また、ガイドレバー５３は、ガイドレール５３ｂがディスク外周に押圧されて、背面壁４ｃ側へ揺動し、ガイドピン１０２と回動ガイド部８９との係合が解除されるが、矢印ｃ２方向へはほとんどスライドされることがない。したがって、ガイドレバー５３は、スライダー５４に形成されたガイド凸部１３０は、ほぼ第２のスライドカム部８７側近傍に位置されている。
【０１７３】
さらに小径ディスク２Ｂが挿入されると、ローディングレバー５１は、第１のガイドピン６６が、ガイド溝１２０から第２のローディングカム１１７の先行カム部１１７ａ側に回動されていく。また、小径ディスク２Ｂが挿入されイジェクトレバー５２が矢印ｂ１方向へ回動されると、図２５に示すように、第２のスイッチＳＷ２が開放され、閉→開へスイッチされる（ＳＷ１：開、ＳＷ２：開）。これにより第１、第２のスイッチＳＷ１、ＳＷ２がともに開状態となるため、駆動モータ５６が起動し、スライダー５４のｄ１方向へのスライドが開始される。
【０１７４】
この状態でスライダー５４がｄ１方向にスライドされることにより、図２６に示すように、ローディングレバー５１は、第１のガイドピン６６が第２のローディングカム１１７の先行カム部１１７ａにガイドされ、矢印ａ１方向へ回動される。これによりローディングレバー５１は、当接部６４が小径ディスク２Ｂの中心孔２ａよりも挿入方向後方部を押圧するため、スライダー５４のスライドに応じて、小径ディスク２Ｂを筐体３内に引き込んでいく。また、イジェクトレバー５２は、小径ディスク２Ｂに押圧されてさらに矢印ｂ１方向へ回動されることにより、第１のガイドピン７６がイジェクトガイド溝１１５の第２のイジェクトカム１１９側へ回動される。
【０１７５】
また、スライダー５４がｄ１方向にスライドされることにより、図２６に示すように、ガイドレバー５３は、スライダー５４に形成されたガイド凸部１３０が第２のスライドカム部８７をスライドするため、この第２のスライドカム部８７の形状に応じてスライドする。
【０１７６】
スライダー５４のｄ１方向へのスライドが進むと、図２７に示すように、ローディングレバー５１は、第１のガイドピン６６と先行カム部１１７ａとの摺動が終了するとともに、第２のガイドピン６７が第２のローディングカム１１７の後行カム部１１７ｂにガイドされる。そして、ローディングレバー５１は、第２のガイドピン６７が後行カム部１１７ｂの引き込み部１２３に摺動されることにより、矢印ａ１方向へ回動され、小径ディスク２Ｂを中心孔２ａがほぼディスク装着部２３上に位置するセンタリング位置まで引き込んだ後、図２８に示すように、回動規制部１２４にガイドされて回動が規制される。
【０１７７】
このとき、イジェクトレバー５２は、第１のガイドピン７６が第２のイジェクトカム１１９の回動規制部１２７にガイドされて回動が規制され、またガイドレバー５３は、スライダー５４のガイド凸部１３０が第２のスライドカム部８７のガイド部８７ａにガイドされてスライドが規制されている。このようにディスク搬送機構５０は、小径ディスク２Ｂの中心孔２ａがディスク装着部２３上に位置するセンタリング位置まで引き込んだ状態で、ローディングレバー５１及びイジェクトレバー５２の回動、並びにガイドレバー５３のスライドが規制され、小径ディスク２Ｂの位置決めを図る。
【０１７８】
小径ディスク２Ｂがセンタリング位置に位置決めされた状態で、さらにスライダー５４がｄ１方向へスライドされると、図２９に示すように、それまで昇降カム１４０の下降部１４５に摺動されていた第１のカムピン３０が上昇部１４６にガイドされ、またレバーガイドカム１５０の切り欠き部１５２に位置していた係合ピン１５１が下降部１５３にガイドされ、それぞれ頂部に位置される。
【０１７９】
これにより、ベースシャーシ２７は、第１のカムピン３０及び昇降レバー１４２に設けられた第２のカムピンと嵌合されている嵌合凹部３８が上昇されるため、チャッキング解除位置からチャッキング位置へ上昇される。チャッキング位置では、ターンテーブル２３ａとトップカバー５の当接突部８とによって小径ディスク２Ｂが挟持されることにより、小径ディスク２Ｂの中心孔２ａにターンテーブル２３ａが圧入され、小径ディスク２Ｂがチャッキングされる。
【０１８０】
このとき、ベースシャーシ２７は、昇降の支点となる回動支持ピン２８，２９を結ぶ線が、小径ディスク２Ｂの投影面外に位置するように形成し、一端側がチャッキング解除位置に下降されたときに、回動支持ピン２８，２９を境とした他端側が小径ディスク２Ｂの搬送領域上に上昇することがない。したがって、小径ディスク２Ｂは、搬送領域に障害物がないため、スムーズなローディングを行うことができる。またベースシャーシ２７は、回動支点となる回動支持ピン２８，２９をできるだけ一端側に近接させることで、力点となるスライダー５４と支点となる回動支持ピン２８，２９とが近接され、昇降に要する負荷を軽減することができる。
【０１８１】
その後、さらにスライダー５４が矢印ｄ１方向へスライドされると、第１のカムピン３０及び昇降レバー１４２の係合ピン１５１がそれぞれ中間部１４７，１５４に支持され、ベースシャーシ２７が小径ディスク２Ｂの記録再生位置に下降される。
【０１８２】
さらにスライダー５４が矢印ｄ１方向にスライドされると、図３０に示すように、ローディングレバー５１は、第２のガイドピン６７が傾斜部１２６を経てリリース部１２５にガイドされるため、センタリング位置からさらに矢印ａ２方向へ回動されて当接部６４が小径ディスク２Ｂの外周から離間される。また、イジェクトレバー５２は、第１のガイドピン７６が傾斜部１２９を経てリリース部１２８にガイドされるため、センタリング位置からさらに矢印ｂ２方向へ回動されて当接部７４が小径ディスク２Ｂの外周部から離間される。さらに、ガイドレバー５３は、スライダー５４のガイド凸部１３０が傾斜部８７ｂを経てリリース部８７ｃへスライドするため、センタリング位置からさらに矢印ｃ２方向へスライドされてガイドレール５３ｂが小径ディスク２Ｂの外周部から離間される。
【０１８３】
小径ディスク２Ｂが各レバーからリリースされる位置までスライダー５４がスライドされると、第５のスイッチＳＷ５がスライダー５４に閉じられ、駆動モータ５６が停止される。その後、ディスクドライブ装置１は、小径ディスク２Ｂに対する情報信号の記録又は再生が行われる。
【０１８４】
次いで、このディスク搬送機構５０による小径ディスク２Ｂの排出工程について説明する。小径ディスク２Ｂは、挿入工程とほぼ逆工程を経ることにより排出されることとなる。小径ディスク２Ｂが筐体３内に搬送された状態において、スライダー５４は、ボトムケース４の背面壁４ｃ側にスライドされ、停止されている。
【０１８５】
小径ディスク２Ｂに対する情報信号の記録あるいは再生動作が終了し、ディスクの排出が指示されると、駆動モータ５６が逆転駆動され、スライダー５４がボトムケース４の背面壁４ｃから前面４ａ側へ、矢印ｄ２方向へスライドされる。
【０１８６】
スライダー５４が矢印ｄ２方向へスライドされると、イジェクトレバー５２は、第１のガイドピン７６が第２のイジェクトカム１１９をリリース部１２８から回動規制部１２７を通過することにより、当接部７４が小径ディスク２Ｂの外周部を支持するとともに、矢印ｂ２方向への回動が可能となる。また、ローディングレバー５１は、第２のガイドピン６７が後行カム部１１７ｂをリリース部１２５から回動規制部１２４を経て引き込み部１２３に至ることにより、当設部６４が小径ディスク２Ｂの外周部を支持するとともに、矢印ａ２方向への回動が可能となる。さらにガイドレバー５３は、スライダー５４のガイド凸部１３０が第２のスライドカム部８７をリリース部８７ｃからガイド部８７ａを経て横断カム部８８に移動することにより、ガイドレール５３ｂが小径ディスク２Ｂの外周部を支持するとともに、小径ディスク２Ｂの排出に付随して、コイルバネ９０の付勢力によって矢印ｃ１方向へのスライドが可能となる。
【０１８７】
また図２８に示すように、各レバーが小径ディスク２Ｂの外周部を支持するタイミングで、スライダー５４が矢印ｄ２方向へスライドされることにより、第１のカムピン３０が昇降カム１４１の中間部１４７から上昇部１４６を経て下降部１４５にガイドされ、また係合ピン１５１がレバーガイドカム１５０の中間部１５４から下降部１５３を経て切り欠き部１５２にガイドされる。これによりベースシャーシ２７は、記録再生位置からチャッキング解除位置へ下降されるため、ターンテーブル２３ａにチャッキングされていた小径ディスク２Ｂがボトムケース４の底面４ｄより立設されているチャッキング解除ピン３９によって突き上げられ、ターンテーブル２３ａとの係合が解除されて排出可能となる。またベースシャーシ２７は、ターンテーブル２３ａが形成された一端側がチャッキング解除位置まで下降することにより、ディスクの搬送領域から退避されるため、ディスク排出の障害とはならない。
【０１８８】
小径ディスク２Ｂとターンテーブル２３ａとの係合が解除された後、第１のガイドピン７６が回動規制部１２７を通過することにより、イジェクトレバー５２は、コイルバネ７３の付勢力によって矢印ｂ２方向へ回動付勢されるため、小径ディスク２Ｂを外部へ押し出していく。そして、イジェクトレバー５２は、スライダー５４の前面４ａ側へのスライドが停止すると、第１のガイドピン７６がカム溝１２１に係止され、矢印ｂ２方向への回動が規制される。
【０１８９】
また、ローディングレバー５１は、第２のガイドピン６７が後行カム部１１７ｂにガイドされ、また第１のガイドピン６６が先行カム部１１７ａにガイドされることにより、スライダー５４のスライドに応じて矢印ａ２方向へ回動される。したがって、小径ディスク２Ｂは、スライダー５４のスライドに応じてローディングレバー５１が矢印ａ２方向へ回動されるにしたがって、イジェクトレバー５２の付勢力によって排出されていく。このとき、ローディングレバー５１は、小径ディスク２Ｂを引き込む矢印ａ１方向へ付勢されていることから、イジェクトレバー５２に押圧されている小径ディスク２Ｂの排出方向の前面側を支持しながら矢印ａ２方向へ回動される。したがって、小径ディスク２Ｂは、イジェクトレバー５２によって押し出されると共に、ローディングレバー５１によって排出方向の前面側を支持されることとなるため、ディスク挿脱口１９からの急な飛び出しが防止されている。
【０１９０】
ローディングレバー５１は、スライダー５４の前面４ａ側へのスライドが停止されるまでに、第１のガイドピン６６の先行カム部１１７ａによるガイドが終わるため、矢印ａ１方向及びａ２方向へ回動可能となる。このとき、ローディングレバー５１は、コイルバネ６３の付勢力によって矢印ａ１方向へ回動付勢されているが、図３１に示すように、当接部６４が小径ディスク２Ｂの中心孔２ａを通過するまでの間は、押圧片６８が、ガイドレバー５３に形成された押圧突部９１に矢印ｃ１方向へ押圧されることにより、矢印ｂ１方向への回動が規制されている。したがって、小径ディスク２Ｂは、ローディングレバー５１の当接部６４によって排出方向前面側を引き込み方向へ付勢されることが防止され、ガイドレバー５３の付勢力によって排出される。
【０１９１】
その後、ローディングレバー５１は、当接部６４を小径ディスク２Ｂの中心孔２ａが通過すると、図３２に示すように、押圧片６８と、ガイドレバー５３の押圧突部９１との当接が解除され矢印ａ１方向へ回動可能とされるとともに、当接部６４が小径ディスク２Ｂの排出方向背面側と当接する。これによりローディングレバー５１は、矢印ａ１方向へ回動付勢されることにより小径ディスク２Ｂを排出方向へ押圧する。
【０１９２】
同様に、ガイドレバー５３は、スライダー５４のガイド凸部１３０が第２のスライドカム部８７にガイドされるため、コイルバネ９０の付勢力による矢印ｃ１方向へのスライドが規制されている。したがってガイドレバー５３は、ガイドレール５３ｂによる引き込み方向あるいは排出方向への付勢力を小径ディスク２Ｂに作用させない。
【０１９３】
そして、スライダー５４の前面４ａ側へのスライドが停止されるまでに、ガイド凸部１３０が第２のスライドカム部８７より横断カム部８８に移動されるため、ガイドレバー５３は、矢印ｃ１方向及びｃ２方向へ回動可能となる。このとき、ガイドレバー５３は、コイルバネ９０の付勢力によってｃ１方向へ回動付勢されるとともに、ガイドレール５３ｂの引き込みガイド部９４が小径ディスク２Ｂと当接されているため、小径ディスク２Ｂを筐体３内へ引き込む方向に付勢しているが、コイルバネ９０の付勢力よりコイルバネ７３の付勢力が勝るため、イジェクトレバー５２に押圧された小径ディスク２Ｂによって矢印ｃ２方向へスライドされる。その後、ガイドレバー５３は、ガイドレール５３ｂの排出ガイド部９５が小径ディスク２Ｂの排出方向背面側と当接されると、矢印ｃ１方向へ付勢されることにより小径ディスク２Ｂを排出方向へ押圧する。
【０１９４】
このとき、図３３に示すように、ガイドレバー５３は、ガイドピン１０２が回動ガイド部８９に挿通されることにより、第２のガイド溝８４に挿通されているガイドピン１０２を支点に、前面４ａ側に若干回動するため、排出ガイド部９５によって小径ディスク２Ｂを前面４ａ側に押し出す。これにより、ガイドレバー５３は、小径ディスク２Ｂを、中心孔２ａがディスク挿脱口１９から外方に臨まされる排出位置まで押し出すことができる。
【０１９５】
このように、小径ディスク２Ｂは、イジェクトレバー５２の第１のガイドピン７６がスライダー５４のカム溝１２１に係止されｂ１方向への回動が停止された後は、ローディングレバー５１及びガイドレバー５３に押圧されることにより、中心孔２ａがディスク挿脱口１９より臨まされる排出位置まで押し出され、筐体３からの取り出しが容易となる。ローディングレバー５１は、第１のガイドピン６６がスライダー５４のカム溝１２０に係止されることにより矢印ｂ１方向への回動が停止される。またガイドレバー５３は、ガイドピン１０２が第１のガイド溝８４の回動ガイド部８９及び、第２のガイド溝８４の右端部に当接することによりスライドが停止される。
【０１９６】
なお、スライダー５４は、前面４ａ側までスライドされると、第３のスイッチＳＷ３を押圧し、これによりスライダー５４が初期位置までスライドされたことが検出され、駆動モータ５６によるスライドが停止される。
【０１９７】
以上のように、ディスクドライブ装置１は、スライダー５４に、大径ディスク２Ａが挿入された場合にローディングレバー５１をガイドする第１のローディングカム１１６及び小径ディスク２Ｂが挿入された場合にローディングレバー５１をガイドする第２のローディングカム１１７を有するローディングガイド溝１１４を形成し、また大径ディスク２Ａが挿入された場合にイジェクトレバー５２をガイドする第１のイジェクトカム１１８及び小径ディスク２Ｂが挿入された場合にイジェクトレバー５２をガイドする第２のイジェクトカム１１９を有するイジェクトガイド溝１１５を形成している。また大径ディスク２Ａが挿入された場合と小径ディスク２Ｂが挿入された場合とで、ローディングレバー５１及びイジェクトレバー５２の回動位置に対する駆動モータ５６の起動タイミングが変えられ、別々のカムにガイドされる。これにより、ディスクドライブ装置１は、スライダー５４が前面４ａ側から背面壁４ｃ側にスライドされると、大小いずれのディスクが挿入された場合にも、筐体３内に引き込み、センタリング位置まで搬送してターンテーブル２３ａにチャッキングさせることができる。また、ディスクドライブ装置１は、スライダー５４が背面壁４ｃから前面４ａ側にスライドされると、大小いずれのディスクが挿入されている場合にも、筐体３内より押し出し、ディスク挿脱口１９から取り出せる所定位置まで排出することができる。
【０１９８】
次いで、小径ディスク２Ｂがボトムケース４の右側壁４ｂ側あるいは左側壁４ｅ側に偏倚して挿入された場合において、ディスク搬送機構５０を駆動させる工程について説明する。上述したように、ディスク搬送機構５０は、光ディスク２がディスク挿脱口１９から挿入され、ローディングレバー５１及びイジェクトレバー５２が回動されることにより、第１、第２のスイッチＳＷ１，ＳＷ２がそれぞれ開状態とされると駆動モータ５６が駆動されてスライダー５４による引き込み動作が開始する。
【０１９９】
ディスク搬送機構５０は、大径ディスク２Ａが挿入された場合には、ディスク挿脱口１９の幅いっぱいに亘って挿入されることから、ローディングレバー５１及びイジェクトレバー５２が十分に回動され、第１、第２のスイッチＳＷ１，ＳＷ２が確実に開状態とされる。しかし、ディスク搬送機構５０は、小径ディスク２Ｂが挿入された場合には、筐体３内の左右何れかに偏倚して挿入されると、ローディングレバー５１あるいはイジェクトレバー５２の回動量が不足あるいは過剰に回動され、第１、第２のスイッチＳＷ１，ＳＷ２が共に開状態とならずに引き込み動作を開始することができないおそれがある。またディスク搬送機構５０は、引き込み動作が開始できない状態で筐体３内にディスク全体が挿入されると、引き込み動作が行われないまま小径ディスク２Ｂが筐体３内に取り残されてしまうおそれがある。
【０２００】
そこで、ディスク搬送機構５０は、小径ディスク２Ｂが筐体３内の左右何れかに偏倚して挿入された場合にも、第１、第２のスイッチＳＷ１，ＳＷ２が確実に開状態とされるように、小径ディスク２Ｂの挿入方向を規制する。
【０２０１】
先ず、小径ディスク２Ｂが右側壁４ｂ側に偏倚して挿入された場合について説明する。図２３に示すように、光ディスク２の挿入待機状態においては、駆動モータ５６の起動タイミングを検出する第１、第２のスイッチＳＷ１，ＳＷ２は、第１のスイッチＳＷ１は開、第２のスイッチＳＷ２は閉とされている（ＳＷ１：開、ＳＷ２：閉）。そして、小径ディスク２Ｂは、ディスク挿脱口１９より挿入されると、ガイドレバー５３のガイドレール５３ｂに形成された排出ガイド部９５に外周部が支持される。
【０２０２】
なお小径ディスク２Ｂは、ディスク挿脱口１９の右端に偏倚して挿入されると、ディスク外周がガイドレール５３ｂに当接されるため、筐体３内へ押し込むことができない。したがって小径ディスク２Ｂは、ディスク挿脱口１９より筐体３内へ挿入されると、必ずガイドレール５３ｂに外周部が支持される。
【０２０３】
その後、小径ディスク２Ｂが右側壁４ｂ側へ押し込まれると、図３４に示すように、ガイドレバー５３は、矢印ｃ２方向へスライドされ、規制片９２がローディングレバー５１の第２のガイドピン６７に当接される。ローディングレバー５１は、第１のガイドピン６６がスライダー５４のカム溝１２０に係止されることにより矢印ａ１方向への回動が規制されている。したがってガイドレバー５３は、規制片９２が第２のガイドピン６７に当接されることにより矢印ｃ２方向へのスライドが規制される。
【０２０４】
これにより、小径ディスク２Ｂは、右側壁４ｂ側へ押し込むことができず、ガイドレール５３ｂの排出ガイド部９５にガイドされて左側壁４ｅ側へ移動されていく。その後、小径ディスク２Ｂは、さらに筐体３内へ挿入されることにより、図３５に示すように、イジェクトレバー５２を矢印ｂ１方向へ回動させ、第２のスイッチＳＷ２を閉→開へスイッチさせる（ＳＷ１：開、ＳＷ２：開）。ディスク搬送機構５０は、第１、第２のスイッチＳＷ１、ＳＷ２がともに開状態となるため、駆動モータ５６が起動し、スライダー５４のｄ１方向へのスライドが開始される。
【０２０５】
次いで、小径ディスク２Ｂが左側壁４ｅ側に偏倚して挿入された場合について説明する。図２３に示すように、光ディスク２の挿入待機状態において、第１のスイッチＳＷ１は開、第２のスイッチＳＷ２は閉とされている（ＳＷ１：開、ＳＷ２：閉）。そして、小径ディスク２Ｂは、ディスク挿脱口１９より挿入されると、ローディングレバー５１の当接部６４に外周部が支持される。なお小径ディスク２Ｂは、ディスク挿脱口１９の左端に偏倚して挿入されると、ディスク外周がローディングレバー５１の当接部６４に当接され、またローディングレバー５１は第２のガイドピン６７がカム溝１２０に係合されることにより矢印ａ２方向への回動が規制されているため、筐体３内へ押し込むことができない。したがって小径ディスク２Ｂは、ディスク挿脱口１９に挿入されると、必ずローディングレバー５１の当接部６４に外周部が支持される。
【０２０６】
その後、小径ディスク２Ｂが左側壁４ｅ側へ押し込まれると、図３６に示すように、ローディングレバー５１が矢印ａ２方向へ回動され、第２のガイドピン６７がガイドレバー５３の規制片９２に係止される。ガイドレバー５３は、ガイドピン１０２，１０２が、第１のガイド溝８３の右端及び第２のガイド溝８４の回動ガイド部８９にそれぞれ係止されることにより矢印ｃ１方向へのスライドが規制されている。したがってローディングレバー５１は、第２のガイドピン６７が規制片９２に係止されることにより矢印ａ２方向への回動が規制される。
【０２０７】
このとき、ローディングレバー５１は、第１のスイッチＳＷ１を押圧する位置までは回動されていない。そしてローディングレバー５１の回動が規制されることにより、小径ディスク２Ｂは、左側壁４ｅ側へ押し込むことができず、右側壁４ｂ側へ移動されていく。その後、小径ディスク２Ｂは、さらに筐体３内へ挿入されることにより、図３７に示すように、イジェクトレバー５２を矢印ｂ１方向へ回動させ、第２のスイッチＳＷ２を閉→開へスイッチさせる（ＳＷ１：開、ＳＷ２：開）。ディスク搬送機構５０は、第１、第２のスイッチＳＷ１、ＳＷ２がともに開状態となるため、駆動モータ５６が起動し、スライダー５４のｄ１方向へのスライドが開始される。
【図面の簡単な説明】
【０２０８】
【図１】本発明に係るディスクドライブ装置が組み込まれた電子機器を示す斜視図である。
【図２】本発明に係るディスクドライブ装置の筐体を示す斜視図である。
【図３】本発明が適用されたディスクドライブ装置を示す斜視図である。
【図４】本発明が適用されたディスクドライブ装置を示す分解斜視図である。
【図５】ベースユニットを示す平面図である。
【図６】ローディングレバーを示す斜視図である。
【図７】イジェクトレバーを示す斜視図である。
【図８】ガイドレバーを示す斜視図である。
【図９】ガイドプレートを示す斜視図である。
【図１０】スライダを示す斜視図である。
【図１１】ベース昇降機構を示す側面図である。
【図１２】インタフェース用コネクタを備えたディスクドライブ装置を示す平面図である。
【図１３】ディスク挿入待機状態において大径ディスクが挿入された状態を示す平面図及び側面図である。
【図１４】ローディングレバーが大径ディスクに押圧されて第１のスイッチが押圧された状態を示す平面図及び側面図である。
【図１５】イジェクトレバーが大径ディスクに押圧されて第２のスイッチが開放された状態を示す平面図及び側面図である。
【図１６】ローディングレバーが回動されて第１のスイッチが開放され、スライダーのスライドが開始された状態を示す平面図及び側面図である。
【図１７】ローディングレバーの第１のガイドピンが先行カム部にガイドされている状態を示す平面図及び側面図である。
【図１８】ローディングレバーの第２のガイドピンが後行カム部にガイドされている状態を示す平面図及び側面図である。
【図１９】大径ディスクがセンタリング位置まで搬送された状態を示す平面図及び側面図である。
【図２０】ベースシャーシが上昇されて大径ディスクがターンテーブルにチャッキングされている状態を示す平面図及び側面図である。
【図２１】大径ディスクの外周から各レバーがリリースされた状態を示す平面図及び側面図である。
【図２２】大径ディスクが排出位置まで搬送された状態を示す平面図及び側面図である。
【図２３】ディスク挿入待機状態において小径ディスクが挿入された状態を示す平面図及び側面図である。
【図２４】小径ディスクが挿入されてローディングレバーを回動させている状態を示す平面図及び側面図である。
【図２５】イジェクトレバーが大径ディスクに押圧されて第２のスイッチが開放され、スライダーのスライドが開始された状態を示す平面図及び側面図である。
【図２６】ローディングレバーの第１のガイドピンが先行カム部にガイドされている状態を示す平面図及び側面図である。
【図２７】ローディングレバーの第２のガイドピンが後行カム部にガイドされている状態を示す平面図及び側面図である。
【図２８】小径ディスクがセンタリング位置まで搬送された状態を示す平面図及び側面図である。
【図２９】ベースシャーシが上昇されて小径ディスクがターンテーブルにチャッキングされている状態を示す平面図及び側面図である。
【図３０】小径ディスクの外周から各レバーがリリースされた状態を示す平面図及び側面図である。
【図３１】ガイドレバーによってローディングレバーの回動が規制されている状態を示す平面図及び側面図である。
【図３２】ガイドレバーによる規制が解除され、ローディングレバーが回動自在とされた状態を示す平面図及び側面図である。
【図３３】ガイドレバーが前面側に回動されることにより小径ディスクが押し出された状態を示す平面図及び側面図である。
【図３４】小径ディスクがガイドレバー側に偏倚して挿入された状態を示す平面図である。
【図３５】小径ディスクの挿入方向が規制されることによりイジェクトレバーが回動され、スライダーのスライドが開始された状態を示す平面図である。
【図３６】小径ディスクがローディングレバー側に偏倚して挿入された状態を示す平面図である。
【図３７】小径ディスクの挿入方向が規制されることによりイジェクトレバーが回動され、スライダーのスライドが開始された状態を示す平面図である。
【符号の説明】
【０２０９】
１  ディスクドライブ装置、２  光ディスク、２Ａ  大径ディスク、２Ｂ  小径ディスク、３  筐体、４  ボトムケース、５  トップカバー、１６  支持片、１６ａ  挿通孔、１７  支持片、１７ａ  挿通孔、１９  ディスク挿脱口、２２  ベースユニット、２３  ディスク装着部、２３ａ  ターンテーブル、２５  光ピックアップ、２７  ベースシャーシ、２８，２９  回動支持ピン、３０，３１  カムピン、４０  回路基板、５０  ディスク搬送機構、５１  ローディングレバー、５２  イジェクトレバー、５３  ガイドレバー、５４  スライダー、５５  ガイドプレート、５６  駆動モータ、６６，６７  ガイドピン、７６  第１のガイドピン、８１  スライドカム溝、８３，８４  ガイド溝、８６，８７  スライドカム部、８８  横断カム部、８９  回動ガイド部、９１  押圧突部、９２  規制片、９４  引き込みガイド部、９５  排出ガイド部、１１４  ローディングガイド溝、１１５  イジェクトガイド溝、１１６  第１のローディングカム、１１７  第２のローディングカム、１１８  第１のイジェクトカム、１１９  第２のイジェクトカム、１４０  ベース昇降機構、１４１  昇降カム、１４２  昇降レバー、１４３  支持壁、１５１  係合ピン
【図１】
2008159092.tif 000003
【図２】
2008159092.tif 000004
【図３】
2008159092.tif 000005
【図４】
2008159092.tif 000006
【図５】
2008159092.tif 000007
【図６】
2008159092.tif 000008
【図７】
2008159092.tif 000009
【図８】
2008159092.tif 000010
【図９】
2008159092.tif 000011
【図１０】
2008159092.tif 000012
【図１１】
2008159092.tif 000013
【図１２】
2008159092.tif 000014
【図１３】
2008159092.tif 000015
【図１４】
2008159092.tif 000016
【図１５】
2008159092.tif 000017
【図１６】
2008159092.tif 000018
【図１７】
2008159092.tif 000019
【図１８】
2008159092.tif 000020
【図１９】
2008159092.tif 000021
【図２０】
2008159092.tif 000022
【図２１】
2008159092.tif 000023
【図２２】
2008159092.tif 000024
【図２３】
2008159092.tif 000025
【図２４】
2008159092.tif 000026
【図２５】
2008159092.tif 000027
【図２６】
2008159092.tif 000028
【図２７】
2008159092.tif 000029
【図２８】
2008159092.tif 000030
【図２９】
2008159092.tif 000031
【図３０】
2008159092.tif 000032
【図３１】
2008159092.tif 000033
【図３２】
2008159092.tif 000034
【図３３】
2008159092.tif 000035
【図３４】
2008159092.tif 000036
【図３５】
2008159092.tif 000037
【図３６】
2008159092.tif 000038
【図３７】
2008159092.tif 000039